(57)【要約】本発明の実施形態は、通信分野に関し、情報伝送方法、デバイス、およびシステムを提供し、それによって中継ＵＥは、受信されたデータを区別して、正常なＤ２Ｄ通信を実施することができる。この方法は、伝送デバイスによって、少なくとも１つの第１の情報を受信するステップと、伝送デバイスによって、少なくとも１つの第１の情報のうちのそれぞれの対応する情報の情報属性を決定するステップと、伝送デバイスによって、少なくとも１つの第１の情報のうちのそれぞれの対応する情報の情報属性に従って第２の情報を決定するステップとを含む。本発明の実施形態は、デバイスツーデバイスＤ２Ｄ通信のために使用される。
2018515002.tif 000002
【特許請求の範囲】
【請求項１】
デバイスツーデバイスプロキシミティーサービスＤ２Ｄ通信のために使用される情報伝送方法であって、
伝送デバイスによって、少なくとも１つの第１の情報を受信するステップと、
前記伝送デバイスによって、前記少なくとも１つの第１の情報のうちのそれぞれの対応する情報の情報属性を決定するステップと、
前記伝送デバイスによって、前記少なくとも１つの第１の情報のうちのそれぞれの前記対応する情報の前記情報属性に従って第２の情報を決定するステップとを含む方法。
【請求項２】
前記伝送デバイスによって、前記第２の情報を送信するステップ
をさらに含む請求項１に記載の方法。
【請求項３】
前記情報属性は、伝送レイヤ、優先度、またはソースのうちの１つまたは複数を含み、前記伝送レイヤは、前記第１の情報の前記対応する情報が前記伝送デバイスへ転送される前に前記第１の情報の前記対応する情報が転送される時間の量を示すために使用され、前記優先度は、前記第１の情報の前記対応する情報が処理される優先度を示すために使用され、前記ソースは、前記第１の情報の前記対応する情報を送信する送信デバイスのソースを示すために使用される請求項１に記載の方法。
【請求項４】
前記ソースは、前記送信デバイスがセルカバレッジエリアの内側に配置されている、または前記送信デバイスがセルカバレッジエリアの外側に配置されているということを含む請求項１に記載の方法。
【請求項５】
前記第１の情報は、Ｄ２Ｄデータであり、前記第２の情報は、中継Ｄ２Ｄデータであり、
前記伝送デバイスによって、前記少なくとも１つの第１の情報のうちのそれぞれの前記対応する情報の前記情報属性に従って第２の情報を決定する前記ステップは、
前記伝送デバイスによって、少なくとも１つのＤ２Ｄデータ内の前記中継Ｄ２Ｄデータを前記少なくとも１つのＤ２Ｄデータのうちのそれぞれの情報属性に従って決定するステップを含み、または
前記第１の情報は、第１のＤ２Ｄデータスケジューリング割り当てＳＡシグナリングであり、前記第２の情報は、中継Ｄ２Ｄデータであり、
前記伝送デバイスによって、前記少なくとも１つの第１の情報のうちのそれぞれの前記対応する情報の前記情報属性に従って第２の情報を決定する前記ステップは、
前記伝送デバイスによって、少なくとも１つの第１のＤ２Ｄデータスケジューリング割り当てＳＡシグナリングのうちのそれぞれの対応するＤ２Ｄデータの情報属性に従って第２のＤ２Ｄデータスケジューリング割り当てＳＡシグナリングを決定し、前記第２のＤ２Ｄデータスケジューリング割り当てＳＡシグナリングに従って前記中継Ｄ２Ｄデータを決定するステップを含み、または
前記第１の情報は、Ｄ２Ｄディスカバリー信号であり、前記第２の情報は、中継Ｄ２Ｄディスカバリー信号であり、
前記伝送デバイスによって、前記少なくとも１つの第１の情報のうちのそれぞれの前記対応する情報の前記情報属性に従って第２の情報を決定する前記ステップは、
前記伝送デバイスによって、少なくとも１つのＤ２Ｄディスカバリー信号内の前記中継Ｄ２Ｄディスカバリー信号を前記少なくとも１つのＤ２Ｄディスカバリー信号のうちのそれぞれの情報属性に従って決定するステップを含む
請求項１に記載の方法。
【請求項６】
前記伝送デバイスによって、前記少なくとも１つの第１の情報のうちのそれぞれの対応する情報の情報属性を決定する前記ステップは、
前記伝送デバイスによって、前記少なくとも１つの第１の情報のうちのそれぞれの冗長パリティービットＣＲＣに従ってそれぞれの１つの第１の情報の前記対応する情報の前記情報属性を入手するステップを含み、前記ＣＲＣのマスクが、前記情報属性を示すために使用される請求項１に記載の方法。
【請求項７】
前記第１の情報は、少なくとも２つのコードセグメントを含み、
前記伝送デバイスによって、前記少なくとも１つの第１の情報のうちのそれぞれの冗長パリティービットＣＲＣに従って前記情報属性を入手する前記ステップは、
前記伝送デバイスによって、少なくとも２つのＣＲＣのマスクを前記少なくとも２つのコードセグメントのＣＲＣに従って入手するステップを含み、それぞれのコードセグメントは、１つのＣＲＣに対応し、前記少なくとも２つのＣＲＣの前記マスクは、前記第１の情報の前記対応する情報の前記情報属性を示すために使用される請求項６に記載の方法。
【請求項８】
前記ＣＲＣの前記マスク間において、事前に設定されたハミング距離がある請求項６または７に記載の方法。
【請求項９】
前記ＣＲＣの前記マスクは、００００  ００００  ００００  ００００  ００００  ００００、１１１１  １１１１  １１１１  １１１１  １１１１  １１１１、１０１０  １０１０  １０１０  １０１０  １０１０  １０１０、０１０１  ０１０１  ０１０１  ０１０１  ０１０１  ０１０１、１１００  １１００  １１００  １１００  １１００  １１００、００１１  ００１１  ００１１  ００１１  ００１１  ００１１、１１１１  ００００  １１１１  ００００  １１１１  ００００、または００００  １１１１  ００００  １１１１  ００００  １１１１という形式のうちの少なくとも１つを含む請求項８に記載の方法。
【請求項１０】
前記伝送デバイスによって、前記第２の情報を送信する前記ステップの前に、
前記伝送デバイスによって、前記第２の情報の情報属性を更新するステップをさらに含む請求項２に記載の方法。
【請求項１１】
デバイスツーデバイスプロキシミティーサービスＤ２Ｄ通信のために使用される情報伝送方法であって、
前記送信デバイスによって、第１の情報を送信するステップを含み、前記第１の情報は、前記第１の情報の対応する情報の情報属性を含み、それによって、前記第１の情報を受信する伝送デバイスが、前記第１の情報の前記対応する情報の前記情報属性に従って第２の情報を決定する、方法。
【請求項１２】
前記送信デバイスによって、第１の情報を送信する前記ステップの前に、前記送信デバイスによって、前記第１の情報の前記対応する情報の前記情報属性を前記第１の情報内に構成するステップをさらに含み、前記情報属性は、伝送レイヤ、優先度、またはソースのうちの１つまたは複数を含み、前記伝送レイヤは、前記第１の情報の前記対応する情報が前記伝送デバイスへ転送される前に前記第１の情報の前記対応する情報が転送される時間の量を示すために使用され、前記優先度は、前記第１の情報の前記対応する情報が処理される優先度を示すために使用され、前記ソースは、前記第１の情報の前記対応する情報を送信する前記送信デバイスのソースを示すために使用される請求項１１に記載の方法。
【請求項１３】
前記第１の情報は、Ｄ２Ｄデータ、Ｄ２Ｄデータスケジューリング割り当てＳＡシグナリング、またはＤ２Ｄディスカバリー信号のうちの１つまたは複数を含む
請求項１１に記載の方法。
【請求項１４】
前記ソースは、前記送信デバイスがセルカバレッジエリアの内側に配置されている、または前記送信デバイスがセルカバレッジエリアの外側に配置されているということを含む請求項１２に記載の方法。
【請求項１５】
前記送信デバイスによって、前記第１の情報の前記対応する情報の前記情報属性を前記第１の情報内に構成する前記ステップは、
前記送信デバイスによって、前記第１の情報のＣＲＣに関するＣＲＣのマスクを構成するステップを含み、前記ＣＲＣの前記マスクは、前記第１の情報の前記対応する情報の前記情報属性を示すために使用される請求項１２に記載の方法。
【請求項１６】
前記第１の情報は、少なくとも２つのコードセグメントを含み、
前記送信デバイスによって、前記第１の情報のＣＲＣに関するＣＲＣのマスクを構成する前記ステップは、前記送信デバイスによって、前記第１の情報のそれぞれのコードセグメントに関するＣＲＣのマスクを構成するステップを含み、前記少なくとも２つのＣＲＣの前記マスクは、前記第１の情報の前記対応する情報の前記情報属性を示すために使用される請求項１５に記載の方法。
【請求項１７】
前記ＣＲＣの前記マスク間において、事前に設定されたハミング距離がある請求項１５または１６に記載の方法。
【請求項１８】
前記ＣＲＣの前記マスクは、００００  ００００  ００００  ００００  ００００  ００００、１１１１  １１１１  １１１１  １１１１  １１１１  １１１１、１０１０  １０１０  １０１０  １０１０  １０１０  １０１０、０１０１  ０１０１  ０１０１  ０１０１  ０１０１  ０１０１、１１００  １１００  １１００  １１００  １１００  １１００、００１１  ００１１  ００１１  ００１１  ００１１  ００１１、１１１１  ００００  １１１１  ００００  １１１１  ００００、または００００  １１１１  ００００  １１１１  ００００  １１１１という形式のうちの少なくとも１つを含む請求項１７に記載の方法。
【請求項１９】
デバイスツーデバイスプロキシミティーサービスＤ２Ｄ通信のために使用される伝送デバイスであって、
少なくとも１つの第１の情報を受信するように構成されている受信ユニットと、
前記受信ユニットによって受信された前記少なくとも１つの第１の情報のうちのそれぞれの対応する情報の情報属性を決定するように構成されている処理ユニットとを含み、
前記処理ユニットは、前記少なくとも１つの第１の情報のうちのそれぞれの前記対応する情報の前記情報属性に従って第２の情報を決定するようにさらに構成されている、伝送デバイス。
【請求項２０】
前記処理ユニットによって決定された前記第２の情報を送信するように構成されている送信ユニットをさらに含む請求項１９に記載の伝送デバイス。
【請求項２１】
前記情報属性は、伝送レイヤ、優先度、またはソースのうちの１つまたは複数を含み、前記伝送レイヤは、前記第１の情報の前記対応する情報が前記伝送デバイスへ転送される前に前記第１の情報の前記対応する情報が転送される時間の量を示すために使用され、前記優先度は、前記第１の情報の前記対応する情報が処理される優先度を示すために使用され、前記ソースは、前記第１の情報の前記対応する情報を送信する送信デバイスのソースを示すために使用される請求項１９に記載の伝送デバイス。
【請求項２２】
前記ソースは、前記送信デバイスがセルカバレッジエリアの内側に配置されている、または前記送信デバイスがセルカバレッジエリアの外側に配置されているということを含む請求項１９に記載の伝送デバイス。
【請求項２３】
前記第１の情報は、Ｄ２Ｄデータであり、前記第２の情報は、中継Ｄ２Ｄデータであり、
前記処理ユニットは、少なくとも１つのＤ２Ｄデータ内の前記中継Ｄ２Ｄデータを前記少なくとも１つのＤ２Ｄデータのうちのそれぞれの情報属性に従って決定するように特に構成されており、または
前記第１の情報は、第１のＤ２Ｄデータスケジューリング割り当てＳＡシグナリングであり、前記第２の情報は、中継Ｄ２Ｄデータであり、
前記処理ユニットは、少なくとも１つの第１のＤ２Ｄデータスケジューリング割り当てＳＡシグナリングのうちのそれぞれの対応するＤ２Ｄデータの情報属性に従って第２のＤ２Ｄデータスケジューリング割り当てＳＡシグナリングを決定し、前記第２のＤ２Ｄデータスケジューリング割り当てＳＡシグナリングに従って前記中継Ｄ２Ｄデータを決定するように特に構成されており、または
前記第１の情報は、Ｄ２Ｄディスカバリー信号であり、前記第２の情報は、中継Ｄ２Ｄディスカバリー信号であり、
前記処理ユニットは、少なくとも１つのＤ２Ｄディスカバリー信号内の前記中継Ｄ２Ｄディスカバリー信号を前記少なくとも１つのＤ２Ｄディスカバリー信号のうちのそれぞれの情報属性に従って決定するように特に構成されている
請求項１９に記載の伝送デバイス。
【請求項２４】
前記処理ユニットは、前記少なくとも１つの第１の情報のうちのそれぞれの冗長パリティービットＣＲＣに従ってそれぞれの１つの第１の情報の前記対応する情報の前記情報属性を入手するように特に構成されており、前記ＣＲＣのマスクが、前記情報属性を示すために使用される請求項１９に記載の伝送デバイス。
【請求項２５】
前記第１の情報は、少なくとも２つのコードセグメントを含み、
前記処理ユニットは、少なくとも２つのＣＲＣのマスクを前記少なくとも２つのコードセグメントのＣＲＣに従って入手するように特に構成されており、それぞれのコードセグメントは、１つのＣＲＣに対応し、前記少なくとも２つのＣＲＣの前記マスクは、前記第１の情報の前記対応する情報の前記情報属性を示すために使用される請求項２４に記載の伝送デバイス。
【請求項２６】
前記ＣＲＣの前記マスク間において、事前に設定されたハミング距離がある請求項２４または２５に記載の伝送デバイス。
【請求項２７】
前記ＣＲＣの前記マスクは、００００  ００００  ００００  ００００  ００００  ００００、１１１１  １１１１  １１１１  １１１１  １１１１  １１１１、１０１０  １０１０  １０１０  １０１０  １０１０  １０１０、０１０１  ０１０１  ０１０１  ０１０１  ０１０１  ０１０１、１１００  １１００  １１００  １１００  １１００  １１００、００１１  ００１１  ００１１  ００１１  ００１１  ００１１、１１１１  ００００  １１１１  ００００  １１１１  ００００、または００００  １１１１  ００００  １１１１  ００００  １１１１という形式のうちの少なくとも１つを含む請求項２６に記載の伝送デバイス。
【請求項２８】
前記処理ユニットは、前記第２の情報の情報属性を更新するようにさらに構成されている請求項２０に記載の伝送デバイス。
【請求項２９】
デバイスツーデバイスプロキシミティーサービスＤ２Ｄ通信のために使用される送信デバイスであって、
第１の情報を送信するように構成されている送信ユニットを含み、前記第１の情報は、前記第１の情報の対応する情報の情報属性を含み、それによって、前記第１の情報を受信する伝送デバイスが、前記第１の情報の前記対応する情報の前記情報属性に従って第２の情報を決定する、送信デバイス。
【請求項３０】
前記第１の情報の前記対応する情報の前記情報属性を、前記送信ユニットによって送信される前記第１の情報内に構成するように構成されている処理ユニットをさらに含み、前記情報属性は、伝送レイヤ、優先度、またはソースのうちの１つまたは複数を含み、前記伝送レイヤは、前記第１の情報の前記対応する情報が前記伝送デバイスへ転送される前に前記第１の情報の前記対応する情報が転送される時間の量を示すために使用され、前記優先度は、前記第１の情報の前記対応する情報が処理される優先度を示すために使用され、前記ソースは、前記第１の情報の前記対応する情報を送信する前記送信デバイスのソースを示すために使用される請求項２９に記載の送信デバイス。
【請求項３１】
前記第１の情報は、Ｄ２Ｄデータ、Ｄ２Ｄデータスケジューリング割り当てＳＡシグナリング、またはＤ２Ｄディスカバリー信号のうちの１つまたは複数を含む
請求項２９に記載の送信デバイス。
【請求項３２】
前記ソースは、前記送信デバイスがセルカバレッジエリアの内側に配置されている、または前記送信デバイスがセルカバレッジエリアの外側に配置されているということを含む請求項３１に記載の送信デバイス。
【請求項３３】
前記処理ユニットは、前記第１の情報のＣＲＣに関するＣＲＣのマスクを構成するように特に構成されており、前記ＣＲＣの前記マスクは、前記第１の情報の前記対応する情報の前記情報属性を示すために使用される請求項３１に記載の送信デバイス。
【請求項３４】
前記第１の情報は、少なくとも２つのコードセグメントを含み、
前記処理ユニットは、前記第１の情報のそれぞれのコードセグメントに関するＣＲＣのマスクを構成するように特に構成されており、前記少なくとも２つのＣＲＣの前記マスクは、前記第１の情報の前記対応する情報の前記情報属性を示すために使用される請求項３３に記載の送信デバイス。
【請求項３５】
前記ＣＲＣの前記マスク間において、事前に設定されたハミング距離がある請求項３３または３４に記載の送信デバイス。
【請求項３６】
前記ＣＲＣの前記マスクは、００００  ００００  ００００  ００００  ００００  ００００、１１１１  １１１１  １１１１  １１１１  １１１１  １１１１、１０１０  １０１０  １０１０  １０１０  １０１０  １０１０、０１０１  ０１０１  ０１０１  ０１０１  ０１０１  ０１０１、１１００  １１００  １１００  １１００  １１００  １１００、００１１  ００１１  ００１１  ００１１  ００１１  ００１１、１１１１  ００００  １１１１  ００００  １１１１  ００００、または００００  １１１１  ００００  １１１１  ００００  １１１１という形式のうちの少なくとも１つを含む請求項３５に記載の送信デバイス。
【請求項３７】
デバイスツーデバイスプロキシミティーサービスＤ２Ｄ通信のために使用される伝送デバイスであって、プロセッサ、第１のインターフェース回路、メモリ、およびバスを含み、前記プロセッサ、前記第１のインターフェース回路、および前記メモリは、前記バスを使用することによって互いに接続されて互いに通信し、
前記第１のインターフェース回路は、少なくとも１つの第１の情報を受信するように構成されており、
前記プロセッサは、前記第１のインターフェース回路によって受信された前記少なくとも１つの第１の情報のうちのそれぞれの対応する情報の情報属性を決定するように構成されており、
前記プロセッサは、前記少なくとも１つの第１の情報のうちのそれぞれの前記対応する情報の前記情報属性に従って第２の情報を決定するようにさらに構成されている、伝送デバイス。
【請求項３８】
前記プロセッサによって決定された前記第２の情報を送信するように構成されている第２のインターフェース回路をさらに含む請求項３７に記載の伝送デバイス。
【請求項３９】
前記情報属性は、伝送レイヤ、優先度、またはソースのうちの１つまたは複数を含み、前記伝送レイヤは、前記第１の情報の前記対応する情報が前記伝送デバイスへ転送される前に前記第１の情報の前記対応する情報が転送される時間の量を示すために使用され、前記優先度は、前記第１の情報の前記対応する情報が処理される優先度を示すために使用され、前記ソースは、前記第１の情報の前記対応する情報を送信する送信デバイスのソースを示すために使用される請求項３７に記載の伝送デバイス。
【請求項４０】
前記ソースは、前記送信デバイスがセルカバレッジエリアの内側に配置されている、または前記送信デバイスがセルカバレッジエリアの外側に配置されているということを含む請求項３７に記載の伝送デバイス。
【請求項４１】
前記第１の情報は、Ｄ２Ｄデータであり、前記第２の情報は、中継Ｄ２Ｄデータであり、
前記プロセッサは、少なくとも１つのＤ２Ｄデータ内の前記中継Ｄ２Ｄデータを前記少なくとも１つのＤ２Ｄデータのうちのそれぞれの情報属性に従って決定するように特に構成されており、または
前記第１の情報は、第１のＤ２Ｄデータスケジューリング割り当てＳＡシグナリングであり、前記第２の情報は、中継Ｄ２Ｄデータであり、
前記プロセッサは、少なくとも１つの第１のＤ２Ｄデータスケジューリング割り当てＳＡシグナリングのうちのそれぞれの対応するＤ２Ｄデータの情報属性に従って第２のＤ２Ｄデータスケジューリング割り当てＳＡシグナリングを決定し、前記第２のＤ２Ｄデータスケジューリング割り当てＳＡシグナリングに従って前記中継Ｄ２Ｄデータを決定するように特に構成されており、または
前記第１の情報は、Ｄ２Ｄディスカバリー信号であり、前記第２の情報は、中継Ｄ２Ｄディスカバリー信号であり、
前記プロセッサは、少なくとも１つのＤ２Ｄディスカバリー信号内の前記中継Ｄ２Ｄディスカバリー信号を前記少なくとも１つのＤ２Ｄディスカバリー信号のうちのそれぞれの情報属性に従って決定するように特に構成されている
請求項３７に記載の伝送デバイス。
【請求項４２】
前記プロセッサは、前記少なくとも１つの第１の情報のうちのそれぞれの冗長パリティービットＣＲＣに従ってそれぞれの１つの第１の情報の前記対応する情報の前記情報属性を入手するように特に構成されており、前記ＣＲＣのマスクが、前記情報属性を示すために使用される請求項３７に記載の伝送デバイス。
【請求項４３】
前記第１の情報は、少なくとも２つのコードセグメントを含み、
前記プロセッサは、少なくとも２つのＣＲＣのマスクを前記少なくとも２つのコードセグメントのＣＲＣに従って入手するように特に構成されており、それぞれのコードセグメントは、１つのＣＲＣに対応し、前記少なくとも２つのＣＲＣの前記マスクは、前記第１の情報の前記対応する情報の前記情報属性を示すために使用される請求項４２に記載の伝送デバイス。
【請求項４４】
前記ＣＲＣの前記マスク間において、事前に設定されたハミング距離がある請求項４２または４３に記載の伝送デバイス。
【請求項４５】
前記ＣＲＣの前記マスクは、００００  ００００  ００００  ００００  ００００  ００００、１１１１  １１１１  １１１１  １１１１  １１１１  １１１１、１０１０  １０１０  １０１０  １０１０  １０１０  １０１０、０１０１  ０１０１  ０１０１  ０１０１  ０１０１  ０１０１、１１００  １１００  １１００  １１００  １１００  １１００、００１１  ００１１  ００１１  ００１１  ００１１  ００１１、１１１１  ００００  １１１１  ００００  １１１１  ００００、または００００  １１１１  ００００  １１１１  ００００  １１１１という形式のうちの少なくとも１つを含む請求項４４に記載の伝送デバイス。
【請求項４６】
前記プロセッサは、前記第２の情報の情報属性を更新するようにさらに構成されている請求項３８に記載の伝送デバイス。
【請求項４７】
デバイスツーデバイスプロキシミティーサービスＤ２Ｄ通信のために使用される送信デバイスであって、プロセッサ、インターフェース回路、メモリ、およびバスを含み、前記プロセッサ、前記インターフェース回路、および前記メモリは、前記バスを使用することによって互いに接続されて互いに通信し、
前記インターフェース回路は、第１の情報を送信するように構成されており、前記第１の情報は、前記第１の情報の対応する情報の情報属性を含み、それによって、前記第１の情報を受信する伝送デバイスが、前記第１の情報の前記対応する情報の前記情報属性に従って第２の情報を決定する、送信デバイス。
【請求項４８】
前記プロセッサは、前記第１の情報の前記対応する情報の前記情報属性を、前記インターフェース回路によって送信される前記第１の情報内に構成するように構成されており、前記情報属性は、伝送レイヤ、優先度、またはソースのうちの１つまたは複数を含み、前記伝送レイヤは、前記第１の情報の前記対応する情報が前記伝送デバイスへ転送される前に前記第１の情報の前記対応する情報が転送される時間の量を示すために使用され、前記優先度は、前記第１の情報の前記対応する情報が処理される優先度を示すために使用され、前記ソースは、前記第１の情報の前記対応する情報を送信する前記送信デバイスのソースを示すために使用される
請求項４７に記載の送信デバイス。
【請求項４９】
前記第１の情報は、Ｄ２Ｄデータ、Ｄ２Ｄデータスケジューリング割り当てＳＡシグナリング、またはＤ２Ｄディスカバリー信号のうちの１つまたは複数を含む
請求項４７に記載の送信デバイス。
【請求項５０】
前記ソースは、前記送信デバイスがセルカバレッジエリアの内側に配置されている、または前記送信デバイスがセルカバレッジエリアの外側に配置されているということを含む請求項４９に記載の送信デバイス。
【請求項５１】
前記プロセッサは、前記第１の情報のＣＲＣに関するＣＲＣのマスクを構成するように特に構成されており、前記ＣＲＣの前記マスクは、前記第１の情報の前記対応する情報の前記情報属性を示すために使用される請求項４８に記載の送信デバイス。
【請求項５２】
前記第１の情報は、少なくとも２つのコードセグメントを含み、
前記プロセッサは、前記第１の情報のそれぞれのコードセグメントに関するＣＲＣのマスクを構成するように特に構成されており、前記少なくとも２つのＣＲＣの前記マスクは、前記第１の情報の前記対応する情報の前記情報属性を示すために使用される請求項５１に記載の送信デバイス。
【請求項５３】
前記ＣＲＣの前記マスク間において、事前に設定されたハミング距離がある請求項５１または５２に記載の送信デバイス。
【請求項５４】
前記ＣＲＣの前記マスクは、００００  ００００  ００００  ００００  ００００  ００００、１１１１  １１１１  １１１１  １１１１  １１１１  １１１１、１０１０  １０１０  １０１０  １０１０  １０１０  １０１０、０１０１  ０１０１  ０１０１  ０１０１  ０１０１  ０１０１、１１００  １１００  １１００  １１００  １１００  １１００、００１１  ００１１  ００１１  ００１１  ００１１  ００１１、１１１１  ００００  １１１１  ００００  １１１１  ００００、または００００  １１１１  ００００  １１１１  ００００  １１１１という形式のうちの少なくとも１つを含む請求項５３に記載の送信デバイス。
【請求項５５】
デバイスツーデバイスプロキシミティーサービスＤ２Ｄ通信のために使用される通信システムであって、請求項１９乃至２８のいずれか一項に記載の伝送デバイスと、請求項２９乃至３６のいずれか一項に記載の送信デバイスとを含み、または
請求項３７乃至４６のいずれか一項に記載の伝送デバイスと、請求項４７乃至５４のいずれか一項に記載の送信デバイスとを含む通信システム。
【発明の詳細な説明】
【技術分野】
【０００１】
本発明は、通信分野に関し、詳細には、情報伝送方法、デバイス、およびシステムに関する。
【背景技術】
【０００２】
ユーザ機器からユーザ機器へのプロキシミティーサービス（英語のフルネーム：  Ｄｅｖｉｃｅ  ｔｏ  Ｄｅｖｉｃｅ  Ｐｒｏｘｉｍｉｔｙ  Ｓｅｒｖｉｃｅ、略してＤ２Ｄ  ＰｒｏＳｅ）が、３ＧＰＰ（英語のフルネーム：  ３ｒｄ  Ｇｅｎｅｒａｔｉｏｎ  Ｐａｒｔｎｅｒｓｈｉｐ  Ｐｒｏｊｅｃｔ、中国語：  第３世代パートナーシッププロジェクト）ＬＴＥ（英語のフルネーム：  Ｌｏｎｇ  Ｔｅｒｍ  Ｅｖｏｌｕｔｉｏｎ、中国語：  ロングタームエボリューション）システム  Ｒｅｌ．１２（英語のフルネーム：  Ｒｅｌｅａｓｅ  １２、中国語：  リリース１２）システムの研究対象になっている。ＬＴＥシステムの物理レイヤ（この物理レイヤは、ＯＦＤＭ−ＭＩＭＯ、英語のフルネーム：  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ−Ｍｕｌｔｉｐｌｅ−Ｉｎｐｕｔ  Ｍｕｌｔｉｐｌｅ−Ｏｕｔｐｕｔ、中国語：  直交周波数分割多重化−多入力多出力に基づく）が、ユーザ機器からユーザ機器への直接の通信サービスを提供するために使用される場合には、ＬＴＥシステムのサービス範囲が拡張されるだけでなく、ユーザ機器からユーザ機器へのＤ２Ｄ通信も、より多くのユーザによって使用され得る。
【０００３】
ＬＴＥ  Ｄ２Ｄ  ＰｒｏＳｅサービスにおいては、適用シナリオは、伝送距離を増やす目的で、ＵＥからＵＥへの中継方法を使用することによって、ＵＥが、別のＵＥのデータを転送するために使用されるということである。
【０００４】
ＬＴＥ  Ｄ２Ｄシステムにおいては、Ｄ２Ｄ信号を送信する場合に、ＵＥは、スケジューリングシグナリングをＳＡ（英語のフルネーム：  ｓｃｈｅｄｕｌｉｎｇ  ａｓｓｉｇｎｍｅｎｔ、中国語：  スケジューリング割り当て）リソース内に含めて送信し、次いで、対応するＤ２Ｄ信号をデータリソースプール内に含めて送信する必要がある。Ｄ２Ｄ端末がスケジューリングシグナリングをＳＡリソース内に含めて送信する場合には、そのスケジューリングシグナリングは、送信されることになる信号の宛先アドレスを含む。
【０００５】
図１を参照すると、図１は、ＬＴＥ  Ｄ２Ｄシステムを示している。このシステムにおいては、ＬＴＥ基地局および４つのＵＥが示されている。ＵＥ１がＤ２Ｄ信号を送信する必要がある場合には、ＵＥ１は、スケジューリングシグナリングを、対応するＳＡリソース内に含めて送信し、対応するデータ信号を、そのＳＡリソースにマッチするデータリソースプール内に含めて送信する必要がある。ＳＡリソース内に含めてＵＥ１によって送信されるスケジューリングシグナリングは、宛先アドレスを含む。ＵＥ１がＵＥ３と通信する必要があると想定すると、このケースにおいては、宛先アドレスはＵＥ３のアドレスである。
【０００６】
ＵＥ１によって送信されたデータを中継するためにＵＥ２が使用される場合には、ＵＥ２は、最初にそのデータを受信する必要があり、その後にＵＥ２はそのデータを送信する。ＵＥ２がＵＥ１の信号を中継する際に、遅延が生じる。加えて、ＵＥ１によって送信されたデータを中継する際に、ＵＥ２も、最初にスケジューリングシグナリングをＳＡリソース内に含めて送信する必要があり、次いで、中継される必要がある信号を、そのＳＡリソースにマッチするデータリソースプール内に含めて送信する。
【０００７】
ＵＥ１のデータを中継する際に、ＵＥ２も、スケジューリングシグナリングをＳＡリソース内に含めて送信する必要があり、そのスケジューリングシグナリング内の宛先アドレスも、ＵＥ３のアドレスである。この時点でＵＥ１が別の１つのデータを送信する必要がある場合には、ＵＥ１は、別の１つのスケジューリングシグナリングをＳＡリソース内に含めて送信する必要があり、その別の１つのスケジューリングシグナリング内の宛先アドレスも、ＵＥ３のアドレスである。このケースにおいては、図１におけるＵＥ  ｘに関して、ＵＥ  ｘが別の１つのデータの中継に関与する場合には、ＳＡリソース内に含まれてＵＥ  ｘによって受信される２つのスケジューリングシグナリングの宛先アドレスは、両方ともＵＥ３のアドレスである。ＵＥ  ｘは、ＵＥ１によって送信された２つのデータの間における時間シーケンス関係を決定することができず、したがって、それらの２つのデータを区別することができない。結果として、Ｄ２Ｄ通信が正常に実行されることは不可能である。
【発明の概要】
【０００８】
本発明の実施形態は、通信分野に関し、情報伝送方法、デバイス、およびシステムを提供し、それによって中継ＵＥは、受信された情報を区別して、正常なＤ２Ｄ通信を実施することができる。
【０００９】
前述の目的を達成するために、以降の技術的なソリューションが、本発明の実施形態において使用される。
【００１０】
第１の態様によれば、デバイスツーデバイスＤ２Ｄ通信のために使用される情報伝送方法が提供され、この方法は、
伝送デバイスによって、少なくとも１つの第１の情報を受信するステップと、
伝送デバイスによって、少なくとも１つの第１の情報のうちのそれぞれの対応する情報の情報属性を決定するステップと、
伝送デバイスによって、少なくとも１つの第１の情報のうちのそれぞれの対応する情報の情報属性に従って第２の情報を決定するステップとを含む。
【００１１】
第１の態様に関連して、第１の可能な実装形態においては、この方法は、
伝送デバイスによって、第２の情報を送信するステップをさらに含む。
【００１２】
第１の態様に関連して、第２の可能な実装形態においては、情報属性は、伝送レイヤ、優先度、またはソースのうちの１つまたは複数を含み、伝送レイヤは、第１の情報の対応する情報が伝送デバイスへ転送される前に第１の情報の対応する情報が転送される時間の量を示すために使用され、優先度は、第１の情報の対応する情報が処理される優先度を示すために使用され、ソースは、第１の情報の対応する情報を送信する送信デバイスのソースを示すために使用される。
【００１３】
第１の態様に関連して、第３の可能な実装形態においては、ソースは、送信デバイスがセルカバレッジエリアの内側に配置されている、または送信デバイスがセルカバレッジエリアの外側に配置されているということを含む。
【００１４】
第１の態様に関連して、第４の可能な実装形態においては、
第１の情報は、Ｄ２Ｄデータであり、第２の情報は、中継Ｄ２Ｄデータであり、
伝送デバイスによって、少なくとも１つの第１の情報のうちのそれぞれの対応する情報の情報属性に従って第２の情報を決定するステップは、
伝送デバイスによって、少なくとも１つのＤ２Ｄデータ内の中継Ｄ２Ｄデータを少なくとも１つのＤ２Ｄデータのうちのそれぞれの情報属性に従って決定するステップを含み、または
第１の情報は、第１のＤ２Ｄデータスケジューリング割り当てＳＡシグナリングであり、第２の情報は、中継Ｄ２Ｄデータであり、
伝送デバイスによって、少なくとも１つの第１の情報のうちのそれぞれの対応する情報の情報属性に従って第２の情報を決定するステップは、
伝送デバイスによって、少なくとも１つの第１のＤ２Ｄデータスケジューリング割り当てＳＡシグナリングのうちのそれぞれの対応するＤ２Ｄデータの情報属性に従って第２のＤ２Ｄデータスケジューリング割り当てＳＡシグナリングを決定し、第２のＤ２Ｄデータスケジューリング割り当てＳＡシグナリングに従って中継Ｄ２Ｄデータを決定するステップを含み、または
第１の情報は、Ｄ２Ｄディスカバリー信号であり、第２の情報は、中継Ｄ２Ｄディスカバリー信号であり、
伝送デバイスによって、少なくとも１つの第１の情報のうちのそれぞれの対応する情報の情報属性に従って第２の情報を決定するステップは、
伝送デバイスによって、少なくとも１つのＤ２Ｄディスカバリー信号内の中継Ｄ２Ｄディスカバリー信号を少なくとも１つのＤ２Ｄディスカバリー信号のうちのそれぞれの情報属性に従って決定するステップを含む。
【００１５】
第１の態様に関連して、第５の可能な実装形態においては、伝送デバイスによって、少なくとも１つの第１の情報のうちのそれぞれの対応する情報の情報属性を決定するステップは、
伝送デバイスによって、少なくとも１つの第１の情報のうちのそれぞれの冗長パリティービットＣＲＣに従ってそれぞれの１つの第１の情報の対応する情報の情報属性を入手するステップを含み、ＣＲＣのマスクが、情報属性を示すために使用される。
【００１６】
第１の態様の第５の可能な実装形態に関連して、第６の可能な実装形態においては、第１の情報は、少なくとも２つのコードセグメントを含み、
伝送デバイスによって、少なくとも１つの第１の情報のうちのそれぞれの冗長パリティービットＣＲＣに従って情報属性を入手するステップは、
伝送デバイスによって、少なくとも２つのＣＲＣのマスクを少なくとも２つのコードセグメントのＣＲＣに従って入手するステップを含み、それぞれのコードセグメントは、１つのＣＲＣに対応し、少なくとも２つのＣＲＣのマスクは、第１の情報の対応する情報の情報属性を示すために使用される。
【００１７】
第１の態様の第５または第６の可能な実装形態に関連して、第７の可能な実装形態においては、ＣＲＣのマスク間において、事前に設定されたハミング距離がある。
【００１８】
第１の態様の第７の可能な実装形態に関連して、第８の可能な実装形態においては、ＣＲＣのマスクは、００００  ００００  ００００  ００００  ００００  ００００、１１１１  １１１１  １１１１  １１１１  １１１１  １１１１、１０１０  １０１０  １０１０  １０１０  １０１０  １０１０、０１０１  ０１０１  ０１０１  ０１０１  ０１０１  ０１０１、１１００  １１００  １１００  １１００  １１００  １１００、００１１  ００１１  ００１１  ００１１  ００１１  ００１１、１１１１  ００００  １１１１  ００００  １１１１  ００００、または００００  １１１１  ００００  １１１１  ００００  １１１１という形式のうちの少なくとも１つを含む。
【００１９】
第１の態様の第１の可能な実装形態に関連して、第９の可能な実装形態においては、伝送デバイスによって、第２の情報を送信するステップの前に、この方法は、
伝送デバイスによって、第２の情報の情報属性を更新するステップをさらに含む。
【００２０】
第２の態様によれば、デバイスツーデバイスプロキシミティーサービスＤ２Ｄ通信のために使用される情報伝送方法が提供され、この方法は、
送信デバイスによって、第１の情報を送信するステップを含み、第１の情報は、第１の情報の対応する情報の情報属性を含み、それによって、第１の情報を受信する伝送デバイスが、第１の情報の対応する情報の情報属性に従って第２の情報を決定する。
【００２１】
第２の態様に関連して、第１の可能な実装形態においては、
送信デバイスによって、第１の情報を送信するステップの前に、この方法は、送信デバイスによって、第１の情報の対応する情報の情報属性を第１の情報内に構成するステップをさらに含み、情報属性は、伝送レイヤ、優先度、またはソースのうちの１つまたは複数を含み、伝送レイヤは、第１の情報の対応する情報が伝送デバイスへ転送される前に第１の情報の対応する情報が転送される時間の量を示すために使用され、優先度は、第１の情報の対応する情報が処理される優先度を示すために使用され、ソースは、第１の情報の対応する情報を送信する送信デバイスのソースを示すために使用される。
【００２２】
第２の態様に関連して、第２の可能な実装形態においては、
第１の情報は、Ｄ２Ｄデータ、Ｄ２Ｄデータスケジューリング割り当てＳＡシグナリング、またはＤ２Ｄディスカバリー信号のうちの１つまたは複数を含む。
【００２３】
第２の態様の第１の可能な実装形態に関連して、第３の可能な実装形態においては、ソースは、送信デバイスがセルカバレッジエリアの内側に配置されている、または送信デバイスがセルカバレッジエリアの外側に配置されているということを含む。
【００２４】
第２の態様の第２の可能な実装形態に関連して、第４の可能な実装形態においては、送信デバイスによって、第１の情報の対応する情報の情報属性を第１の情報内に構成するステップは、
送信デバイスによって、第１の情報のＣＲＣに関するＣＲＣのマスクを構成するステップを含み、ＣＲＣのマスクは、第１の情報の対応する情報の情報属性を示すために使用される。
【００２５】
第２の態様の第４の可能な実装形態に関連して、第５の可能な実装形態においては、第１の情報は、少なくとも２つのコードセグメントを含み、
送信デバイスによって、第１の情報のＣＲＣに関するＣＲＣのマスクを構成するステップは、送信デバイスによって、第１の情報のそれぞれのデータコードセグメントに関するＣＲＣのマスクを構成するステップを含み、少なくとも２つのＣＲＣのマスクは、第１の情報の対応する情報の情報属性を示すために使用される。
【００２６】
第２の態様の第４または第５の可能な実装形態に関連して、第６の可能な実装形態においては、ＣＲＣのマスク間において、事前に設定されたハミング距離がある。
【００２７】
第２の態様の第６の可能な実装形態に関連して、第７の可能な実装形態においては、ＣＲＣのマスクは、００００  ００００  ００００  ００００  ００００  ００００、１１１１  １１１１  １１１１  １１１１  １１１１  １１１１、１０１０  １０１０  １０１０  １０１０  １０１０  １０１０、０１０１  ０１０１  ０１０１  ０１０１  ０１０１  ０１０１、１１００  １１００  １１００  １１００  １１００  １１００、００１１  ００１１  ００１１  ００１１  ００１１  ００１１、１１１１  ００００  １１１１  ００００  １１１１  ００００、または００００  １１１１  ００００  １１１１  ００００  １１１１という形式のうちの少なくとも１つを含む。
【００２８】
第３の態様によれば、デバイスツーデバイスプロキシミティーサービスＤ２Ｄ通信のために使用される伝送デバイスが提供され、この伝送デバイスは、
少なくとも１つの第１の情報を受信するように構成されている受信ユニットと、
受信ユニットによって受信された少なくとも１つの第１の情報のうちのそれぞれの対応する情報の情報属性を決定するように構成されている処理ユニットとを含み、
処理ユニットは、少なくとも１つの第１の情報のうちのそれぞれの対応する情報の情報属性に従って第２の情報を決定するようにさらに構成されている。
【００２９】
第３の態様に関連して、第１の可能な実装形態においては、この伝送デバイスは、処理ユニットによって決定された第２の情報を送信するように構成されている送信ユニットをさらに含む。
【００３０】
第３の態様に関連して、第２の可能な実装形態においては、情報属性は、伝送レイヤ、優先度、またはソースのうちの１つまたは複数を含み、伝送レイヤは、第１の情報の対応する情報が伝送デバイスへ転送される前に第１の情報の対応する情報が転送される時間の量を示すために使用され、優先度は、第１の情報の対応する情報が処理される優先度を示すために使用され、ソースは、第１の情報の対応する情報を送信する送信デバイスのソースを示すために使用される。
【００３１】
第３の態様に関連して、第３の可能な実装形態においては、ソースは、送信デバイスがセルカバレッジエリアの内側に配置されている、または送信デバイスがセルカバレッジエリアの外側に配置されているということを含む。
【００３２】
第３の態様に関連して、第４の可能な実装形態においては、
第１の情報は、Ｄ２Ｄデータであり、第２の情報は、中継Ｄ２Ｄデータであり、
処理ユニットは、少なくとも１つのＤ２Ｄデータ内の中継Ｄ２Ｄデータを少なくとも１つのＤ２Ｄデータのうちのそれぞれの情報属性に従って決定するように特に構成されており、または
第１の情報は、第１のＤ２Ｄデータスケジューリング割り当てＳＡシグナリングであり、第２の情報は、中継Ｄ２Ｄデータであり、
処理ユニットは、少なくとも１つの第１のＤ２Ｄデータスケジューリング割り当てＳＡシグナリングのうちのそれぞれの対応するＤ２Ｄデータの情報属性に従って第２のＤ２Ｄデータスケジューリング割り当てＳＡシグナリングを決定し、第２のＤ２Ｄデータスケジューリング割り当てＳＡシグナリングに従って中継Ｄ２Ｄデータを決定するように特に構成されており、または
第１の情報は、Ｄ２Ｄディスカバリー信号であり、第２の情報は、中継Ｄ２Ｄディスカバリー信号であり、
処理ユニットは、少なくとも１つのＤ２Ｄディスカバリー信号内の中継Ｄ２Ｄディスカバリー信号を少なくとも１つのＤ２Ｄディスカバリー信号のうちのそれぞれの情報属性に従って決定するように特に構成されている。
【００３３】
第３の態様に関連して、第５の可能な実装形態においては、処理ユニットは、少なくとも１つの第１の情報のうちのそれぞれの冗長パリティービットＣＲＣに従ってそれぞれの１つの第１の情報の対応する情報の情報属性を入手するように特に構成されており、ＣＲＣのマスクが、情報属性を示すために使用される。
【００３４】
第３の態様の第５の可能な実装形態に関連して、第６の可能な実装形態においては、第１の情報は、少なくとも２つのコードセグメントを含み、
処理ユニットは、少なくとも２つのＣＲＣのマスクを少なくとも２つのコードセグメントのＣＲＣに従って入手するように特に構成されており、それぞれのコードセグメントは、１つのＣＲＣに対応し、少なくとも２つのＣＲＣのマスクは、第１の情報の対応する情報の情報属性を示すために使用される。
【００３５】
第３の態様の第５または第６の可能な実装形態に関連して、第７の可能な実装形態においては、ＣＲＣのマスク間において、事前に設定されたハミング距離がある。
【００３６】
第３の態様の第７の可能な実装形態に関連して、第８の可能な実装形態においては、ＣＲＣのマスクは、００００  ００００  ００００  ００００  ００００  ００００、１１１１  １１１１  １１１１  １１１１  １１１１  １１１１、１０１０  １０１０  １０１０  １０１０  １０１０  １０１０、０１０１  ０１０１  ０１０１  ０１０１  ０１０１  ０１０１、１１００  １１００  １１００  １１００  １１００  １１００、００１１  ００１１  ００１１  ００１１  ００１１  ００１１、１１１１  ００００  １１１１  ００００  １１１１  ００００、または００００  １１１１  ００００  １１１１  ００００  １１１１という形式のうちの少なくとも１つを含む。
【００３７】
第３の態様の第１の可能な実装形態に関連して、第９の可能な実装形態においては、処理ユニットは、第２の情報の情報属性を更新するようにさらに構成されている。
【００３８】
第４の態様によれば、デバイスツーデバイスプロキシミティーサービスＤ２Ｄ通信のために使用される送信デバイスが提供され、この送信デバイスは、
第１の情報を送信するように構成されている送信ユニットを含み、第１の情報は、第１の情報の対応する情報の情報属性を含み、それによって、第１の情報を受信する伝送デバイスが、第１の情報の対応する情報の情報属性に従って第２の情報を決定する。
【００３９】
第４の態様に関連して、第２の可能な実装形態においては、この送信デバイスは、第１の情報の対応する情報の情報属性を、送信ユニットによって送信される第１の情報内に構成するように構成されている処理ユニットをさらに含み、情報属性は、伝送レイヤ、優先度、またはソースのうちの１つまたは複数を含み、伝送レイヤは、第１の情報の対応する情報が伝送デバイスへ転送される前に第１の情報の対応する情報が転送される時間の量を示すために使用され、優先度は、第１の情報の対応する情報が処理される優先度を示すために使用され、ソースは、第１の情報の対応する情報を送信する送信デバイスのソースを示すために使用される。
【００４０】
第４の態様の第１の可能な実装形態に関連して、第３の可能な実装形態においては、第１の情報は、Ｄ２Ｄデータ、Ｄ２Ｄデータスケジューリング割り当てＳＡシグナリング、またはＤ２Ｄディスカバリー信号のうちの１つまたは複数を含む。
【００４１】
第４の態様の第１の可能な実装形態に関連して、第４の可能な実装形態においては、ソースは、送信デバイスがセルカバレッジエリアの内側に配置されている、または送信デバイスがセルカバレッジエリアの外側に配置されているということを含む。
【００４２】
第４の態様の第４の可能な実装形態に関連して、第５の可能な実装形態においては、処理ユニットは、第１の情報のＣＲＣに関するＣＲＣのマスクを構成するように特に構成されており、ＣＲＣのマスクは、第１の情報の対応する情報の情報属性を示すために使用される。
【００４３】
第４の態様の第４の可能な実装形態に関連して、第５の可能な実装形態においては、第１の情報は、少なくとも２つのコードセグメントを含み、第１の情報は、少なくとも２つのコードセグメントを含み、
処理ユニットは、第１の情報のそれぞれのコードセグメントに関するＣＲＣのマスクを構成するように特に構成されており、少なくとも２つのＣＲＣのマスクは、第１の情報の対応する情報の情報属性を示すために使用される。
【００４４】
第４の態様の第４または第５の可能な実装形態に関連して、第６の可能な実装形態においては、ＣＲＣのマスク間において、事前に設定されたハミング距離がある。
【００４５】
第４の態様の第６の可能な実装形態に関連して、第７の可能な実装形態においては、ＣＲＣのマスクは、００００  ００００  ００００  ００００  ００００  ００００、１１１１  １１１１  １１１１  １１１１  １１１１  １１１１、１０１０  １０１０  １０１０  １０１０  １０１０  １０１０、０１０１  ０１０１  ０１０１  ０１０１  ０１０１  ０１０１、１１００  １１００  １１００  １１００  １１００  １１００、００１１  ００１１  ００１１  ００１１  ００１１  ００１１、１１１１  ００００  １１１１  ００００  １１１１  ００００、または００００  １１１１  ００００  １１１１  ００００  １１１１という形式のうちの少なくとも１つを含む。
【００４６】
第５の態様によれば、デバイスツーデバイスプロキシミティーサービスＤ２Ｄ通信のために使用される伝送デバイスが提供され、この伝送デバイスは、プロセッサ、第１のインターフェース回路、メモリ、およびバスを含み、プロセッサ、第１のインターフェース回路、およびメモリは、バスを使用することによって互いに接続されて互いに通信し、
第１のインターフェース回路は、少なくとも１つの第１の情報を受信するように構成されており、
プロセッサは、第１のインターフェース回路によって受信された少なくとも１つの第１の情報のうちのそれぞれの対応する情報の情報属性を決定するように構成されており、
プロセッサは、少なくとも１つの第１の情報のうちのそれぞれの対応する情報の情報属性に従って第２の情報を決定するようにさらに構成されている。
【００４７】
第５の態様に関連して、第１の可能な実装形態においては、この伝送デバイスは、プロセッサによって決定された第２の情報を送信するように構成されている第２のインターフェース回路をさらに含む。
【００４８】
第５の態様に関連して、第２の可能な実装形態においては、情報属性は、伝送レイヤ、優先度、またはソースのうちの１つまたは複数を含み、伝送レイヤは、第１の情報の対応する情報が伝送デバイスへ転送される前に第１の情報の対応する情報が転送される時間の量を示すために使用され、優先度は、第１の情報の対応する情報が処理される優先度を示すために使用され、ソースは、第１の情報の対応する情報を送信する送信デバイスのソースを示すために使用される。
【００４９】
第５の態様に関連して、第３の可能な実装形態においては、ソースは、送信デバイスがセルカバレッジエリアの内側に配置されている、または送信デバイスがセルカバレッジエリアの外側に配置されているということを含む。
【００５０】
第５の態様に関連して、第４の可能な実装形態においては、
第１の情報は、Ｄ２Ｄデータであり、第２の情報は、中継Ｄ２Ｄデータであり、
プロセッサは、少なくとも１つのＤ２Ｄデータ内の中継Ｄ２Ｄデータを少なくとも１つのＤ２Ｄデータのうちのそれぞれの情報属性に従って決定するように特に構成されており、または
第１の情報は、第１のＤ２Ｄデータスケジューリング割り当てＳＡシグナリングであり、第２の情報は、中継Ｄ２Ｄデータであり、
プロセッサは、少なくとも１つの第１のＤ２Ｄデータスケジューリング割り当てＳＡシグナリングのうちのそれぞれの対応するＤ２Ｄデータの情報属性に従って第２のＤ２Ｄデータスケジューリング割り当てＳＡシグナリングを決定し、第２のＤ２Ｄデータスケジューリング割り当てＳＡシグナリングに従って中継Ｄ２Ｄデータを決定するように特に構成されており、または
第１の情報は、Ｄ２Ｄディスカバリー信号であり、第２の情報は、中継Ｄ２Ｄディスカバリー信号であり、
プロセッサは、少なくとも１つのＤ２Ｄディスカバリー信号内の中継Ｄ２Ｄディスカバリー信号を少なくとも１つのＤ２Ｄディスカバリー信号のうちのそれぞれの情報属性に従って決定するように特に構成されている。
【００５１】
第５の態様に関連して、第５の可能な実装形態においては、プロセッサは、少なくとも１つの第１の情報のうちのそれぞれの冗長パリティービットＣＲＣに従ってそれぞれの１つの第１の情報の対応する情報の情報属性を入手するように特に構成されており、ＣＲＣのマスクが、情報属性を示すために使用される。
【００５２】
第５の態様の第５の可能な実装形態に関連して、第６の可能な実装形態においては、第１の情報は、少なくとも２つのコードセグメントを含み、
プロセッサは、少なくとも２つのＣＲＣのマスクを少なくとも２つのコードセグメントのＣＲＣに従って入手するように特に構成されており、それぞれのコードセグメントは、１つのＣＲＣに対応し、少なくとも２つのＣＲＣのマスクは、第１の情報の対応する情報の情報属性を示すために使用される。
【００５３】
第５の態様の第５または第６の可能な実装形態に関連して、第７の可能な実装形態においては、ＣＲＣのマスク間において、事前に設定されたハミング距離がある。
【００５４】
第５の態様の第７の可能な実装形態に関連して、第８の可能な実装形態においては、ＣＲＣのマスクは、００００  ００００  ００００  ００００  ００００  ００００、１１１１  １１１１  １１１１  １１１１  １１１１  １１１１、１０１０  １０１０  １０１０  １０１０  １０１０  １０１０、０１０１  ０１０１  ０１０１  ０１０１  ０１０１  ０１０１、１１００  １１００  １１００  １１００  １１００  １１００、００１１  ００１１  ００１１  ００１１  ００１１  ００１１、１１１１  ００００  １１１１  ００００  １１１１  ００００、または００００  １１１１  ００００  １１１１  ００００  １１１１という形式のうちの少なくとも１つを含む。
【００５５】
第５の態様の第１の可能な実装形態に関連して、第９の可能な実装形態においては、プロセッサは、第２の情報の情報属性を更新するようにさらに構成されている。
【００５６】
第６の態様によれば、デバイスツーデバイスプロキシミティーサービスＤ２Ｄ通信のために使用される送信デバイスが提供され、この送信デバイスは、プロセッサ、第１のインターフェース回路、メモリ、およびバスを含み、プロセッサ、第１のインターフェース回路、およびメモリは、バスを使用することによって互いに接続されて互いに通信し、
第１のインターフェース回路は、第１の情報を送信するように構成されており、第１の情報は、第１の情報の対応する情報の情報属性を含み、それによって、第１の情報を受信する伝送デバイスが、第１の情報の対応する情報の情報属性に従って第２の情報を決定する。
【００５７】
第６の態様に関連して、第２の可能な実装形態においては、プロセッサは、第１の情報の対応する情報の情報属性を、第１のインターフェース回路によって送信される第１の情報内に構成するように構成されており、情報属性は、伝送レイヤ、優先度、またはソースのうちの１つまたは複数を含み、伝送レイヤは、第１の情報の対応する情報が伝送デバイスへ転送される前に第１の情報の対応する情報が転送される時間の量を示すために使用され、優先度は、第１の情報の対応する情報が処理される優先度を示すために使用され、ソースは、第１の情報の対応する情報を送信する送信デバイスのソースを示すために使用される。
【００５８】
第６の態様の第１の可能な実装形態に関連して、第３の可能な実装形態においては、第１の情報は、Ｄ２Ｄデータ、Ｄ２Ｄデータスケジューリング割り当てＳＡシグナリング、またはＤ２Ｄディスカバリー信号のうちの１つまたは複数を含む。
【００５９】
第６の態様の第１の可能な実装形態に関連して、第４の可能な実装形態においては、ソースは、送信デバイスがセルカバレッジエリアの内側に配置されている、または送信デバイスがセルカバレッジエリアの外側に配置されているということを含む。
【００６０】
第６の態様の第４の可能な実装形態に関連して、第５の可能な実装形態においては、プロセッサは、第１の情報のＣＲＣに関するＣＲＣのマスクを構成するように特に構成されており、ＣＲＣのマスクは、第１の情報の対応する情報の情報属性を示すために使用される。
【００６１】
第６の態様の第４の可能な実装形態に関連して、第５の可能な実装形態においては、第１の情報は、少なくとも２つのコードセグメントを含み、
プロセッサは、第１の情報のそれぞれのコードセグメントに関するＣＲＣのマスクを構成するように特に構成されており、少なくとも２つのＣＲＣのマスクは、第１の情報の対応する情報の情報属性を示すために使用される。
【００６２】
第６の態様の第４または第５の可能な実装形態に関連して、第６の可能な実装形態においては、ＣＲＣのマスク間において、事前に設定されたハミング距離がある。
【００６３】
第６の態様の第６の可能な実装形態に関連して、第７の可能な実装形態においては、ＣＲＣのマスクは、００００  ００００  ００００  ００００  ００００  ００００、１１１１  １１１１  １１１１  １１１１  １１１１  １１１１、１０１０  １０１０  １０１０  １０１０  １０１０  １０１０、０１０１  ０１０１  ０１０１  ０１０１  ０１０１  ０１０１、１１００  １１００  １１００  １１００  １１００  １１００、００１１  ００１１  ００１１  ００１１  ００１１  ００１１、１１１１  ００００  １１１１  ００００  １１１１  ００００、または００００  １１１１  ００００  １１１１  ００００  １１１１という形式のうちの少なくとも１つを含む。
【００６４】
第７の態様によれば、デバイスツーデバイスプロキシミティーサービスＤ２Ｄ通信のために使用される通信システムが提供され、この通信システムは、第３の態様、もしくは第３の態様のいずれかの可能な実装形態による伝送デバイスと、第４の態様、もしくは第４の態様のいずれかの可能な実装形態による送信デバイスとを含み、または
第５の態様、もしくは第５の態様のいずれかの可能な実装形態による伝送デバイスと、第６の態様、もしくは第６の態様のいずれかの可能な実装形態による送信デバイスとを含む。
【００６５】
本発明の実施形態において提供されている情報伝送方法、デバイス、およびシステムによれば、伝送デバイスが、受信された第１の情報の対応する情報のものである、かつ第１の情報内に含まれている情報属性に従って、中継される第２の情報を決定することができ、それによって中継ＵＥは、受信された情報を区別して、正常なＤ２Ｄ通信を実施することができる。
【図面の簡単な説明】
【００６６】
本発明の実施形態または従来技術における技術的なソリューションをより明確に記述するために、以降では、それらの実施形態または従来技術について記述するために必要とされる添付の図面について簡単に記述する。明らかに、以降の説明における添付の図面は、本発明のいくつかの実施形態を示しているにすぎず、当技術分野における標準的な技術者なら、それでもなお、創造的な取り組みを伴わずにこれらの添付の図面からその他の図面を導き出し得る。
【図１】本発明の実施形態による通信システムの概略構造図である。
【図２】本発明の実施形態による情報伝送方法の概略フローチャートである。
【図３】本発明の別の実施形態による情報伝送方法の概略フローチャートである。
【図４】本発明のさらに別の実施形態による情報伝送方法の概略フローチャートである。
【図５】本発明のさらに別の実施形態による情報伝送方法の概略フローチャートである。
【図６】本発明の別の実施形態による情報伝送方法の概略フローチャートである。
【図７】本発明の実施形態によるデータ構造の概略図である。
【図８】本発明の別の実施形態によるデータ構造の概略図である。
【図９】本発明のさらに別の実施形態による情報伝送方法の概略フローチャートである。
【図１０】本発明の実施形態による伝送デバイスの概略構造図である。
【図１１】本発明の別の実施形態による伝送デバイスの概略構造図である。
【図１２】本発明の実施形態による送信デバイスの概略構造図である。
【図１３】本発明のさらに別の実施形態による伝送デバイスの概略構造図である。
【図１４】本発明の別の実施形態による送信デバイスの概略構造図である。
【発明を実施するための形態】
【００６７】
以降では、本発明の実施形態における添付の図面を参照しながら、本発明の実施形態における技術的なソリューションについて明確にかつ完全に記述する。明らかに、記述されている実施形態は、本発明の実施形態のうちのいくつかにすぎず、すべてではない。当技術分野における標準的な技術者によって本発明の実施形態に基づいて創造的な取り組みを伴わずに入手されるその他のすべての実施形態は、本発明の保護範囲内に収まるものとする。
【００６８】
本発明の実施形態の技術的なソリューションは、さまざまな通信システム、たとえば、グローバルシステムオブモバイルコミュニケーションズ（英語のフルネーム：  Ｇｌｏｂａｌ  Ｓｙｓｔｅｍ  ｏｆ  Ｍｏｂｉｌｅ  ｃｏｍｍｕｎｉｃａｔｉｏｎ、略してＧＳＭ）システム、符号分割多元接続（英語のフルネーム：  Ｃｏｄｅ  Ｄｉｖｉｓｉｏｎ  Ｍｕｌｔｉｐｌｅ  Ａｃｃｅｓｓ、略してＣＤＭＡ）システム、ワイドバンド符号分割多元接続（英語のフルネーム：  Ｗｉｄｅｂａｎｄ  Ｃｏｄｅ  Ｄｉｖｉｓｉｏｎ  Ｍｕｌｔｉｐｌｅ  Ａｃｃｅｓｓ、略してＷＣＤＭＡ）システム、ジェネラルパケットラジオサービス（英語のフルネーム：  Ｇｅｎｅｒａｌ  Ｐａｃｋｅｔ  Ｒａｄｉｏ  Ｓｅｒｖｉｃｅ、略してＧＰＲＳ）、ロングタームエボリューション（英語のフルネーム：  Ｌｏｎｇ  Ｔｅｒｍ  Ｅｖｏｌｕｔｉｏｎ、略してＬＴＥ）システム、ＬＴＥ周波数分割複信（英語のフルネーム：  Ｆｒｅｑｕｅｎｃｙ  Ｄｉｖｉｓｉｏｎ  Ｄｕｐｌｅｘ、略してＦＤＤ）システム、ＬＴＥ時分割複信（英語のフルネーム：  Ｔｉｍｅ  Ｄｉｖｉｓｉｏｎ  Ｄｕｐｌｅｘ、略してＴＤＤ）、ユニバーサルモバイルテレコミュニケーションズシステム（英語のフルネーム：  Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、略してＵＭＴＳ）、ワールドワイドインターオペラビリティーフォーマイクロウェーブアクセス（英語のフルネーム：  Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、略してＷｉＭＡＸ）通信システムなどに適用され得るということを理解されたい。
【００６９】
本発明の実施形態において提供されている伝送デバイスは、ユーザ機器（英語のフルネーム：  Ｕｓｅｒ  Ｅｑｕｉｐｍｅｎｔ、略してＵＥ）であり、セルラー電話、コードレス電話、セッション開始プロトコル（英語のフルネーム：  Ｓｅｓｓｉｏｎ  Ｉｎｉｔｉａｔｉｏｎ  Ｐｒｏｔｏｃｏｌ、略してＳＩＰ）電話、ワイヤレスローカルループ（英語のフルネーム：  Ｗｉｒｅｌｅｓｓ  Ｌｏｃａｌ  Ｌｏｏｐ、略してＷＬＬ）ステーション、携帯情報端末（英語のフルネーム：  Ｐｅｒｓｏｎａｌ  Ｄｉｇｉｔａｌ  Ａｓｓｉｓｔａｎｔ、略してＰＤＡ）、ワイヤレス通信機能を有するハンドヘルドデバイス、車載デバイス、ウェアラブルデバイス、コンピューティングデバイス、または、ワイヤレスモデムに接続されている別の処理デバイスであり得る。
【００７０】
本発明の実施形態において提供されている基地局は、１つまたは複数のセクタを使用することによってアクセスネットワークにおいてエアインターフェースを介してユーザ機器と通信するデバイスであり得る。基地局は、受信された無線フレームおよびインターネットプロトコル（英語のフルネーム：  Ｉｎｔｅｒｎｅｔ  Ｐｒｏｔｏｃｏｌ、略してＩＰ）パケットを相互に変換し、ユーザ機器と、アクセスネットワークの残りの部分との間におけるルータとしての役割を果たすように構成され得る。アクセスネットワークの残りの部分は、ＩＰネットワークを含み得る。基地局は、エアインターフェースの属性管理を調整し得る。基地局は、グローバルシステムフォーモバイルコミュニケーションズ（英語のフルネーム：  Ｇｌｏｂａｌ  Ｓｙｓｔｅｍ  ｆｏｒ  Ｍｏｂｉｌｅ  ｃｏｍｍｕｎｉｃａｔｉｏｎ、略してＧＳＭ）もしくは符号分割多元接続（英語のフルネーム：  Ｃｏｄｅ  Ｄｉｖｉｓｉｏｎ  Ｍｕｌｔｉｐｌｅ  Ａｃｃｅｓｓ、略してＣＤＭＡ）におけるベーストランシーバステーション（英語のフルネーム：  Ｂａｓｅ  Ｔｒａｎｓｃｅｉｖｅｒ  Ｓｔａｔｉｏｎ、略してＢＴＳ）であってよく、ワイドバンド符号分割多元接続（英語のフルネーム：  Ｗｉｄｅｂａｎｄ  Ｃｏｄｅ  Ｄｉｖｉｓｉｏｎ  Ｍｕｌｔｉｐｌｅ  Ａｃｃｅｓｓ、略してＷＣＤＭＡ）における基地局（英語のフルネーム：  Ｂａｓｅ  Ｓｔａｔｉｏｎ、略してＢＳ）であってよく、ロングタームエボリューション（英語のフルネーム：  Ｌｏｎｇ  Ｔｅｒｍ  Ｅｖｏｌｕｔｉｏｎ、略してＬＴＥ）における進化型ＮｏｄｅＢ（英語のフルネーム：  ｅｖｏｌｕｔｉｏｎａｌ  Ｎｏｄｅ  Ｂ、略してＮｏｄｅＢ、もしくはｅＮＢ、もしくはｅ−ＮｏｄｅＢ）であってよく、またはセルラーワイヤレス通信システムにおけるマクロ基地局およびマイクロ基地局であってよい。これは、本発明の実施形態においては限定されない。
【００７１】
「第１の」および「第２の」という用語は、説明の目的でのみ使用されており、相対的な重要度を示すもしくは意味するもの、または示されている技術的な特徴の量を意味するものとして解釈されてはならない。したがって、「第１の」または「第２の」によって限定されている特徴は、１つまたは複数のそのような特徴を明示的に示し得る、または黙示的に含み得る。以降の実施形態においては、「第１の」および「第２の」は、第１の情報および第２の情報を区別するためなどにのみ使用されている。
【００７２】
本発明の実施形態は、デバイスツーデバイスＤ２Ｄ通信のために使用される通信システムを提供する。このシステムは、少なくとも３つのＵＥを含む。図１を参照すると、図１はさらに、基地局ｅＮＢを示している。
【００７３】
前述の通信システムに関連して、情報伝送方法が提供され、デバイスツーデバイスＤ２Ｄ通信のために使用される。この方法は、伝送デバイスによってデータを受信するために使用される。ＵＥ１は、ＵＥ３へ送信するためのデータを有している。下記の方法は、図１において示されている通信システムにおけるＵＥ１以外のＵＥに適用可能である。図２を参照すると、この方法は、下記のステップを含む。
【００７４】
１０１：  伝送デバイスが、少なくとも１つの第１の情報を受信する。
【００７５】
任意選択で、第１の情報は、Ｄ２Ｄデータ、Ｄ２Ｄデータスケジューリング割り当てＳＡシグナリング、またはＤ２Ｄディスカバリー信号のうちのいずれか１つを含む。
【００７６】
１０２：  伝送デバイスは、少なくとも１つの第１の情報のうちのそれぞれの対応する情報の情報属性を決定する。
【００７７】
任意選択で、情報属性は、伝送レイヤ、優先度、またはソースのうちの１つまたは複数を含む。伝送レイヤは、第１の情報の対応する情報が伝送デバイスへ転送される前に第１の情報の対応する情報が転送される時間の量を示すために使用され、優先度は、第１の情報の対応する情報が処理される優先度を示すために使用され、ソースは、第１の情報の対応する情報を送信する送信デバイスのソースを示すために使用される。任意選択で、ソースは、送信デバイスがセルカバレッジエリアの内側に配置されている、または送信デバイスがセルカバレッジエリアの外側に配置されているということを含む。第１の情報の対応する情報は、第１の情報、または第１の情報によって示される情報であり得る。たとえば、第１の情報がＤ２Ｄデータである場合には、第１の情報の対応する情報は、１つまたは複数の受信されたＤ２Ｄデータであり得る。第１の情報がＤ２Ｄデータスケジューリング割り当てＳＡシグナリングである場合には、第１の情報の対応する情報は、Ｄ２Ｄデータスケジューリング割り当てＳＡシグナリングによって示される１つまたは複数のＤ２Ｄデータであり得る。第１の情報がＤ２Ｄディスカバリー信号である場合には、第１の情報の対応する情報は、１つまたは複数の受信されたＤ２Ｄディスカバリー信号であり得る。
【００７８】
１０３：  伝送デバイスは、少なくとも１つの第１の情報のうちのそれぞれの対応する情報の情報属性に従って第２の情報を決定する。
【００７９】
さらに、伝送デバイスがＤ２Ｄ通信における最後の受信デバイスである場合には、この方法は、ステップ１０３が実行された後に終了する。伝送デバイスが中継デバイスである場合には、この方法は、ステップ１０４をさらに含む。
【００８０】
１０４：  伝送デバイスは、第２の情報を送信する。
【００８１】
特に、ステップ１０４は、第２の情報の情報属性に従って別のデバイスへデータを送信することであり得る。ステップ１０４において、情報属性は、第１の情報の対応する情報の伝送レイヤ、優先度、またはソースのうちの１つまたは複数を含む。伝送レイヤは、例として使用されている。情報の転送のそれぞれの時間は遅延を有するということが理解され得る。伝送デバイスによる転送の別々の時間の遅延が同じであるかまたは近似していると想定すると、より高い伝送レイヤは、情報のさらに早い送信時間を示し、それによって伝送デバイスは、その伝送レイヤに従って第２の情報を転送して、情報の伝送を最適化する。同様に、伝送デバイスは、優先度に従って第２の情報を決定し得る。情報属性がソースである場合には、伝送デバイスは、第１の情報が、送信デバイスがセルカバレッジエリアの内側に配置されている場合に送信されるか、または送信デバイスがセルカバレッジエリアの外側に配置されている場合に送信されるかを区別し、第１の情報が、送信デバイスがセルカバレッジエリアの内側に配置されている場合に送信されるか、または送信デバイスがセルカバレッジエリアの外側に配置されている場合に送信されるかに従って、第２の情報を決定して送信し得る。
【００８２】
本発明のこの実施形態において提供されている情報伝送によれば、伝送デバイスが、受信された第１の情報の対応する情報のものである、かつ第１の情報内に含まれている情報属性に従って、中継される第２の情報を決定することができ、それによって中継ＵＥは、受信された情報を区別して、正常なＤ２Ｄ通信を実施することができる。
【００８３】
特に、第１の情報は、Ｄ２Ｄデータであり、第２の情報は、中継Ｄ２Ｄデータである。図３を参照すると、本発明の別の実施形態が、下記のステップを含む情報伝送方法を提供している。
【００８４】
２０１：  伝送デバイスが、少なくとも１つのＤ２Ｄデータを受信する。
【００８５】
２０２：  伝送デバイスは、少なくとも１つのＤ２Ｄデータのうちのそれぞれの情報属性を決定する。
【００８６】
情報属性は、伝送レイヤ、優先度、またはソースのうちの１つまたは複数を含む。伝送レイヤは、第１の情報の対応する情報が伝送デバイスへ転送される前に第１の情報の対応する情報が転送される時間の量を示すために使用される。優先度は、第１の情報の対応する情報が処理される優先度を示すために使用される。ソースは、第１の情報の対応する情報を送信する送信デバイスのソースを示すために使用される。任意選択で、ソースは、送信デバイスがセルカバレッジエリアの内側に配置されている、または送信デバイスがセルカバレッジエリアの外側に配置されているということを含む。
【００８７】
２０３：  伝送デバイスは、少なくとも１つのＤ２Ｄデータのうちのそれぞれの情報属性に従って少なくとも１つのＤ２Ｄデータ内の中継Ｄ２Ｄデータを決定する。
【００８８】
さらに、伝送デバイスが受信デバイスである場合には、この方法は、ステップ２０３が実行された後に終了する。伝送デバイスが中継デバイスである場合には、この方法は、ステップ２０４をさらに含む。
【００８９】
２０４：  伝送デバイスは、中継Ｄ２Ｄデータを送信する。
【００９０】
本発明のこの実施形態において提供されている情報伝送方法によれば、伝送デバイスが、受信されたＤ２Ｄデータ内に含まれている伝送レイヤ、優先度、またはソースの１つまたは複数の情報属性に従って、受信されたＤ２Ｄデータ内の中継Ｄ２Ｄデータを決定することができ、それによって、中継ＵＥとして使用される伝送デバイスは、受信されたＤ２Ｄデータ間において区別を行って、正常なＤ２Ｄ通信を実施することができる。
【００９１】
特に、第１の情報は、第１のＤ２Ｄデータスケジューリング割り当てＳＡシグナリングであり、第２の情報は、中継Ｄ２Ｄデータである。図４を参照すると、本発明の別の実施形態が、下記のステップを含む情報伝送方法を提供している。
【００９２】
３０１：  伝送デバイスが、少なくとも１つの第１のＤ２Ｄデータスケジューリング割り当てＳＡシグナリングを受信する。
【００９３】
３０２：  伝送デバイスは、少なくとも１つの第１のＤ２Ｄデータスケジューリング割り当てＳＡシグナリングのうちのそれぞれの対応するＤ２Ｄデータの情報属性を決定する。
【００９４】
情報属性は、伝送レイヤ、優先度、またはソースのうちの１つまたは複数を含む。伝送レイヤは、第１の情報の対応する情報が転送される時間の量を示すために使用される。優先度は、第１の情報の対応する情報が処理される優先度を示すために使用される。ソースは、第１の情報の対応する情報を送信する送信デバイスのソースを示すために使用される。任意選択で、ソースは、送信デバイスがセルカバレッジエリアの内側に配置されている、または送信デバイスがセルカバレッジエリアの外側に配置されているということを含む。
【００９５】
３０３：  伝送デバイスは、少なくとも１つの第１のＤ２Ｄデータスケジューリング割り当てＳＡシグナリングのうちのそれぞれの対応するＤ２Ｄデータの情報属性に従って第２のＤ２Ｄデータスケジューリング割り当てＳＡシグナリングを決定し、第２のＤ２Ｄデータスケジューリング割り当てＳＡシグナリングに従って中継Ｄ２Ｄデータを決定する。
【００９６】
さらに、伝送デバイスが受信デバイスである場合には、この方法は、ステップ３０３が実行された後に終了する。伝送デバイスが中継デバイスである場合には、この方法は、ステップ３０４をさらに含む。
【００９７】
３０４：  伝送デバイスは、中継Ｄ２Ｄデータを送信する。
【００９８】
本発明のこの実施形態において提供されている情報伝送方法によれば、伝送デバイスが、受信された第１のＤ２Ｄデータスケジューリング割り当てＳＡシグナリング内に含まれている伝送レイヤ、優先度、またはソースの１つまたは複数の情報属性に従って、中継Ｄ２Ｄデータに対応する第２のＤ２Ｄデータスケジューリング割り当てＳＡシグナリングを決定し、その第２のＤ２Ｄデータスケジューリング割り当てＳＡシグナリングに従って中継Ｄ２Ｄデータを決定することができ、それによって、中継ＵＥとして使用される伝送デバイスは、受信されたＤ２Ｄデータを区別して、正常なＤ２Ｄ通信を実施することができる。
【００９９】
特に、第１の情報は、Ｄ２Ｄディスカバリー信号であり、第２の情報は、中継Ｄ２Ｄディスカバリー信号である。図５を参照すると、本発明の別の実施形態が、下記のステップを含む情報伝送方法を提供している。
【０１００】
４０１：  伝送デバイスが、少なくとも１つのＤ２Ｄディスカバリー信号を受信する。
【０１０１】
４０２：  伝送デバイスは、少なくとも１つのＤ２Ｄディスカバリー信号のうちのそれぞれの情報属性を決定する。
【０１０２】
情報属性は、伝送レイヤ、優先度、またはソースのうちの１つまたは複数を含む。伝送レイヤは、第１の情報の対応する情報が伝送デバイスへ転送される前に第１の情報の対応する情報が転送される時間の量を示すために使用される。優先度は、第１の情報の対応する情報が処理される優先度を示すために使用される。ソースは、第１の情報の対応する情報を送信する送信デバイスのソースを示すために使用される。任意選択で、ソースは、送信デバイスがセルカバレッジエリアの内側に配置されている、または送信デバイスがセルカバレッジエリアの外側に配置されているということを含む。
【０１０３】
４０３：  伝送デバイスは、少なくとも１つのＤ２Ｄディスカバリー信号のうちのそれぞれの情報属性に従って少なくとも１つのＤ２Ｄディスカバリー信号内の中継Ｄ２Ｄディスカバリー信号を決定する。
【０１０４】
さらに、伝送デバイスが受信デバイスである場合には、この方法は、ステップ４０３が実行された後に終了する。伝送デバイスが中継デバイスである場合には、この方法は、ステップ４０４をさらに含む。
【０１０５】
４０４：  伝送デバイスは、中継Ｄ２Ｄディスカバリー信号を送信する。
【０１０６】
本発明のこの実施形態において提供されている情報伝送方法によれば、伝送デバイスが、受信されたＤ２Ｄディスカバリー信号内に含まれている伝送レイヤ、優先度、またはソースの１つまたは複数の情報属性に従って、受信されたＤ２Ｄディスカバリー信号内の中継Ｄ２Ｄディスカバリー信号を決定することができ、それによって、中継ＵＥとして使用される伝送デバイスは、受信された中継Ｄ２Ｄディスカバリー信号を区別して、正常なＤ２Ｄ通信を実施することができる。
【０１０７】
図６を参照すると、本発明の実施形態が、下記を含む情報伝送方法を提供している。
【０１０８】
５０１：  伝送デバイスが、少なくとも１つの第１の情報を受信する。
【０１０９】
任意選択で、第１の情報は、Ｄ２Ｄデータ、Ｄ２Ｄデータスケジューリング割り当てＳＡシグナリング、またはＤ２Ｄディスカバリー信号のうちのいずれか１つを含む。
【０１１０】
５０２：  伝送デバイスは、少なくとも１つの第１の情報のうちのそれぞれの冗長パリティービットＣＲＣに従ってそれぞれの１つの第１の情報の対応する情報の情報属性を入手する。ＣＲＣのマスクが、情報属性を示すために使用される。
【０１１１】
情報属性は、伝送レイヤ、優先度、またはソースのうちの１つまたは複数を含む。伝送レイヤは、第１の情報の対応する情報が伝送デバイスへ転送される前に第１の情報の対応する情報が転送される時間の量を示すために使用される。優先度は、第１の情報の対応する情報が処理される優先度を示すために使用される。ソースは、第１の情報の対応する情報を送信する送信デバイスのソースを示すために使用される。任意選択で、ソースは、送信デバイスがセルカバレッジエリアの内側に配置されている、または送信デバイスがセルカバレッジエリアの外側に配置されているということを含む。ＣＲＣ内に含まれているＣＲＣのマスクは、第１の情報の対応する情報の情報属性を示すために使用される。ＣＲＣのマスクは、所定の長さ、たとえば２４ビットを有するマスクシーケンスである。第１の情報がＤ２Ｄデータである場合には、ＣＲＣは、データ構造の物理レイヤ上に構成される。
【０１１２】
任意選択で、ＣＲＣのマスク間において、事前に設定されたハミング（英語：  Ｈａｍｍｉｎｇ）距離がある。ＣＲＣのマスクは、００００  ００００  ００００  ００００  ００００  ００００、１１１１  １１１１  １１１１  １１１１  １１１１  １１１１、１０１０  １０１０  １０１０  １０１０  １０１０  １０１０、０１０１  ０１０１  ０１０１  ０１０１  ０１０１  ０１０１、１１００  １１００  １１００  １１００  １１００  １１００、００１１  ００１１  ００１１  ００１１  ００１１  ００１１、１１１１  ００００  １１１１  ００００  １１１１  ００００、または００００  １１１１  ００００  １１１１  ００００  １１１１という形式のうちの少なくとも１つを含む。
【０１１３】
特に、図７を参照すると、Ｄ２Ｄデータと、そのＤ２ＤデータのＣＲＣとを含むデータ構造が提供されている。本発明の実施形態においては、ＣＲＣは、ＣＲＣのマスク（ｍａｓｋ）をさらに含む。
【０１１４】
表１において示されているように、ＣＲＣのマスクのマスクシーケンスと、伝送レイヤとの間における対応関係が提供されている。
【０１１５】
【表１】
2018515002.tif 000003
【０１１６】
表２において示されているように、ＣＲＣのマスクのマスクシーケンスと、優先度との間における対応関係が提供されている。
【０１１７】
【表２】
2018515002.tif 000004
【０１１８】
表３において示されているように、ＣＲＣのマスクのマスクシーケンスと、ソースとの間における対応関係が提供されている。
【０１１９】
【表３】
2018515002.tif 000005
【０１２０】
前述の表１から表３においては、マスクシーケンス間において、事前に設定されたハミング距離がある。表１においては、伝送レイヤ０のマスクシーケンスと、伝送レイヤ１のマスクシーケンスとの間におけるハミング距離は２４である。その他の伝送レイヤ間における最小ハミング距離は１２である。表２においては、優先度０のマスクシーケンスと、優先度１のマスクシーケンスとの間におけるハミング距離は２４である。その他の優先度間における最小ハミング距離は２である。表３においては、２つのソースのマスクシーケンス間におけるハミング距離は２４である。もちろん、上記は例にすぎない。本発明のソリューションは、上記の様式に限定されない。
【０１２１】
さらに、第１の情報が、少なくとも２つのコードセグメントを含む場合には、ステップ５０２は特に、伝送デバイスが、少なくとも２つのＣＲＣのマスクを少なくとも２つのコードセグメントのＣＲＣに従って入手するということである。それぞれのコードセグメントは、１つのＣＲＣに対応する。少なくとも２つのＣＲＣのマスクは、第１の情報の対応する情報の情報属性を示すために使用される。
【０１２２】
第１の情報がＤ２Ｄデータである例が、説明のために使用されている。通常、データを送信する際に、Ｄ２Ｄ  ＵＥは、巡回冗長パリティービットＣＲＣを物理レイヤに加える必要がある。Ｄ２Ｄデータのビットの量と、ＣＲＣのビットの量との総量が、ビットしきい値（たとえば、ＬＴＥシステムにおいては６１４４ビット）よりも大きい場合には、Ｄ２Ｄデータは、セグメント化される必要がある。このケースにおいては、Ｄ２Ｄデータは、少なくとも２つのコードセグメントを含む。それぞれのコードセグメントは、対応するＣＲＣを含む。このケースにおいては、情報属性が、少なくとも２つのコードセグメントのＣＲＣに対応するＣＲＣのマスクを含む。
【０１２３】
図８において示されているように、それぞれの１つのＤ２Ｄデータは、いくつかのコードセグメント（英語：  ｃｏｄｅ  ｓｅｇｍｅｎｔ）を含む。それぞれのコードセグメントに関して、別々のＣＲＣチェックが実行される。したがって、それぞれのコードセグメントは、１つのＣＲＣに対応する。特に、図８において示されているように、Ｄ２Ｄデータと、Ｄ２ＤデータのＣＲＣとを含むデータ構造が提供されている。Ｄ２Ｄデータは、Ｄ２Ｄデータの少なくとも２つのコードセグメントを含む。情報属性が、それらの少なくとも２つのコードセグメントのＣＲＣに対応するＣＲＣのマスクを含む。２つのＣＲＣのマスク間において、事前に設定されたハミング距離がある。このケースにおいては、情報属性は、すべてのコードセグメントに対応するＣＲＣのマスクのマスクシーケンスの組合せを使用することによって示されている。
【０１２４】
たとえば、図８において示されているように、Ｄ２Ｄデータが、２つのコードセグメントを含む。それぞれのコードセグメントは、それぞれのＣＲＣを有する。ＣＲＣのマスクが、それぞれのコードセグメントのＣＲＣに加えられる。ＣＲＣのマスクが、Ｎ個のタイプのマスクシーケンスを有すると想定すると、２つのコードセグメントのＣＲＣのマスクシーケンスは、合計でＮ＾２個の情報属性を示し得る。＾という記号は、累乗を表す。もちろん、図８は例にすぎない。それぞれの１つのＤ２Ｄデータが、Ｍ個のコードセグメントを含む場合には、それらのＭ個のコードセグメントのＣＲＣのマスクシーケンスは、合計でＮ＾Ｍ個の情報属性を示し得る。たとえば、ＣＲＣのマスクが、２つのタイプのマスクシーケンスを有する場合には、２つのコードセグメントのＣＲＣは、２＾２＝４個の情報属性を示し得る。表２において示されているように、表２は、ＣＲＣにおけるマスクシーケンスとシーケンス番号との間における対応関係を示している。
【０１２５】
【表４】
2018515002.tif 000006
【０１２６】
表４においては、マスクシーケンス間における間隔が、事前に設定されたハミング距離である。前述の表においては、シーケンス番号０のマスクシーケンスと、シーケンス番号１のマスクシーケンスとの間におけるハミング距離は２４である。その他のシーケンス番号間における最小ハミング距離は１２である。もちろん、これは例にすぎない。本発明のソリューションは、表２に限定されない。
【０１２７】
２つのコードセグメントのケースに関して、前述の８個のマスクシーケンスが使用される場合には、合計で８*８＝６４個の情報属性が示され得る。もちろん、これらのすべての情報属性が必要とされるわけではない場合には、８個のマスクシーケンスのうちのいくつかが選択され得る。情報属性が伝送レイヤである場合には、たとえば、最初の２つのシーケンス０および１は、合計で２*２＝４個の伝送レイヤを示し得る。
【０１２８】
詳細に関しては、以降の例を参照されたい。
【０１２９】
第１のコードセグメントのＣＲＣのマスクに対応するマスクシーケンスのシーケンス番号が０であり、第２のコードセグメントのＣＲＣのマスクに対応するマスクシーケンスのシーケンス番号が０である場合には、それは、伝送レイヤが０であるということを示している。
【０１３０】
第１のコードセグメントのＣＲＣのマスクに対応するマスクシーケンスのシーケンス番号が０であり、第２のコードセグメントのＣＲＣのマスクに対応するマスクシーケンスのシーケンス番号が１である場合には、それは、伝送レイヤが１であるということを示している。
【０１３１】
第１のコードセグメントのＣＲＣのマスクに対応するマスクシーケンスのシーケンス番号が１であり、第２のコードセグメントのＣＲＣのマスクに対応するマスクシーケンスのシーケンス番号が０である場合には、それは、伝送レイヤが２であるということを示している。
【０１３２】
第１のコードセグメントのＣＲＣのマスクに対応するマスクシーケンスのシーケンス番号が１であり、第２のコードセグメントのＣＲＣのマスクに対応するマスクシーケンスのシーケンス番号が１である場合には、それは、伝送レイヤが３であるということを示している。上記は、例を提供しているにすぎない。本発明のソリューションは、上記の例に限定されない。
【０１３３】
情報属性が優先度である場合には、たとえば、最初の２つのシーケンス０および１は、合計で２*２＝４個の優先度を示し得る。
【０１３４】
詳細に関しては、以降の例を参照されたい。
【０１３５】
第１のコードセグメントのＣＲＣのマスクに対応するマスクシーケンスのシーケンス番号が０であり、第２のコードセグメントのＣＲＣのマスクに対応するマスクシーケンスのシーケンス番号が０である場合には、それは、優先度が０であるということを示している。
【０１３６】
第１のコードセグメントのＣＲＣのマスクに対応するマスクシーケンスのシーケンス番号が０であり、第２のコードセグメントのＣＲＣのマスクに対応するマスクシーケンスのシーケンス番号が１である場合には、それは、優先度が１であるということを示している。
【０１３７】
第１のコードセグメントのＣＲＣのマスクに対応するマスクシーケンスのシーケンス番号が１であり、第２のコードセグメントのＣＲＣのマスクに対応するマスクシーケンスのシーケンス番号が０である場合には、それは、優先度が２であるということを示している。
【０１３８】
第１のコードセグメントのＣＲＣのマスクに対応するマスクシーケンスのシーケンス番号が１であり、第２のコードセグメントのＣＲＣのマスクに対応するマスクシーケンスのシーケンス番号が１である場合には、それは、優先度が３であるということを示している。上記は、いくつかの例を提供しているにすぎない。本発明のソリューションは、上記の例に限定されない。
【０１３９】
情報属性がソースである場合には、たとえば、最初の２つのシーケンス０および１は、ソースをさらに示し得る。
【０１４０】
詳細に関しては、以降の例を参照されたい。
【０１４１】
第１のコードセグメントのＣＲＣのマスクに対応するマスクシーケンスのシーケンス番号が０であり、第２のコードセグメントのＣＲＣのマスクに対応するマスクシーケンスのシーケンス番号が０である場合には、それは、送信デバイスがセルカバレッジエリアの内側に配置されている、または情報がセルカバレッジエリアの内側から来ているということを示している。
【０１４２】
第１のコードセグメントのＣＲＣのマスクに対応するマスクシーケンスのシーケンス番号が１であり、第２のコードセグメントのＣＲＣのマスクに対応するマスクシーケンスのシーケンス番号が１である場合には、それは、送信デバイスがセルカバレッジエリアの外側に配置されている、または情報がセルカバレッジエリアの外側から来ているということを示している。上記は、例を提供しているにすぎない。本発明のソリューションは、上記の例に限定されない。
【０１４３】
５０３：  伝送デバイスは、少なくとも１つの第１の情報のうちのそれぞれの対応する情報の情報属性に従って第２の情報を決定する。
【０１４４】
さらに、伝送デバイスが受信デバイスである場合には、この方法は、ステップ５０３が実行された後に終了する。伝送デバイスが中継デバイスである場合には、この方法は、ステップ５０４をさらに含む。
【０１４５】
５０４：  伝送デバイスは、第２の情報を送信する。
【０１４６】
任意選択で、ステップ５０４の前に、この方法は、伝送デバイスによって、第２の情報の情報属性を更新するステップをさらに含む。ステップ５０４は特に、伝送デバイスが、更新された情報属性を有する第２の情報を送信するということである。
【０１４７】
本発明のこの実施形態において提供されている情報伝送方法によれば、伝送デバイスが、受信された第１の情報内に含まれている伝送レイヤ、優先度、またはソースの１つまたは複数の情報属性に従って、中継される第２の情報を決定することができ、それによって、中継ＵＥとして使用される伝送デバイスは、受信された情報を区別して、正常なＤ２Ｄ通信を実施することができる。
【０１４８】
本発明の実施形態は、中継様式でデータを送信する必要がある送信デバイスのために使用される情報伝送方法を提供する。その送信デバイスは、たとえば、図１において示されているシステムにおけるＵＥ１である。図９を参照すると、この方法は、下記のステップを含む。
【０１４９】
６０１：  送信デバイスは、第１の情報を送信する。
【０１５０】
第１の情報は、第１の情報の対応する情報の情報属性を含み、それによって、第１の情報を受信する伝送デバイスが、第１の情報の対応する情報の情報属性に従って第２の情報を決定する。任意選択で、情報属性は、伝送レイヤ、優先度、またはソースのうちの１つまたは複数を含む。伝送レイヤは、第１の情報の対応する情報が転送される時間の量を示すために使用される。優先度は、第１の情報の対応する情報が処理される優先度を示すために使用される。ソースは、第１の情報の対応する情報を送信する送信デバイスのソースを示すために使用される。任意選択で、ソースは、送信デバイスがセルカバレッジエリアの内側に配置されている、または送信デバイスがセルカバレッジエリアの外側に配置されているということを含む。第１の情報は、Ｄ２Ｄデータ、Ｄ２Ｄデータスケジューリング割り当てＳＡシグナリング、またはＤ２Ｄディスカバリー信号のうちの１つまたは複数を含む。
【０１５１】
任意選択で、ステップ６０１の前に、この方法は、下記のステップをさらに含む。
【０１５２】
６００：  送信デバイスは、第１の情報の対応する情報の情報属性を第１の情報内に構成する。
【０１５３】
本発明のこの実施形態において提供されている情報伝送方法によれば、送信デバイスが、送信される第１の情報の対応する情報の情報属性を第１の情報内に構成することができ、それによって伝送デバイスが、受信された第１の情報内に含まれている情報属性に従って、中継される第２の情報を決定することができ、中継ＵＥとして使用される伝送デバイスは、受信された情報を区別して、正常なＤ２Ｄ通信を実施することができる。
【０１５４】
さらに、ステップ６０１は、送信デバイスによって、第１の情報のＣＲＣに関するＣＲＣのマスクを構成するステップを特に含む。ＣＲＣのマスクは、第１の情報の対応する情報の情報属性を示すために使用される。
【０１５５】
任意選択で、第１の情報は、少なくとも２つのコードセグメントを含む。送信デバイスによって、第１の情報のＣＲＣに関するＣＲＣのマスクを構成するステップは、送信デバイスによって、第１の情報のそれぞれのコードセグメントに関するＣＲＣのマスクを構成するステップを特に含む。少なくとも２つのＣＲＣのマスクは、第１の情報の対応する情報の情報属性を示すために使用される。
【０１５６】
任意選択で、ＣＲＣのマスク間において、事前に設定されたハミング距離がある。ＣＲＣのマスクは、００００  ００００  ００００  ００００  ００００  ００００、１１１１  １１１１  １１１１  １１１１  １１１１  １１１１、１０１０  １０１０  １０１０  １０１０  １０１０  １０１０、０１０１  ０１０１  ０１０１  ０１０１  ０１０１  ０１０１、１１００  １１００  １１００  １１００  １１００  １１００、００１１  ００１１  ００１１  ００１１  ００１１  ００１１、１１１１  ００００  １１１１  ００００  １１１１  ００００、または００００  １１１１  ００００  １１１１  ００００  １１１１という形式のうちの少なくとも１つを含む。マスクシーケンスの具体的な組合せ形式に関しては、前述の表１から表４に対応する実施形態における説明を参照されたい。詳細がここで再び記述されることはない。
【０１５７】
図１０を参照すると、デバイスツーデバイスプロキシミティーサービスＤ２Ｄ通信のために使用される伝送デバイス１０が提供されており、この伝送デバイス１０は、
少なくとも１つの第１の情報を受信するように構成されている受信ユニット１１１と、
受信ユニット１１１によって受信された少なくとも１つの第１の情報のうちのそれぞれの対応する情報の情報属性を決定するように構成されている処理ユニット１１２とを含む。
【０１５８】
処理ユニット１１２は、少なくとも１つの第１の情報のうちのそれぞれの対応する情報の情報属性に従って第２の情報を決定するようにさらに構成されている。
【０１５９】
本発明のこの実施形態において提供されている伝送デバイスは、受信された第１の情報の対応する情報のものである、かつ第１の情報内に含まれている情報属性に従って、中継される第２の情報を決定することができ、それによって中継ＵＥは、受信された情報を区別して、正常なＤ２Ｄ通信を実施することができる。
【０１６０】
図１１を参照すると、伝送デバイス１０は、処理ユニット１１２によって決定された第２の情報を送信するように構成されている送信ユニット１１３をさらに含む。
【０１６１】
任意選択で、情報属性は、伝送レイヤ、優先度、またはソースのうちの１つまたは複数を含む。伝送レイヤは、第１の情報の対応する情報が伝送デバイスへ転送される前に第１の情報の対応する情報が転送される時間の量を示すために使用される。優先度は、第１の情報の対応する情報が処理される優先度を示すために使用される。ソースは、第１の情報の対応する情報を送信する送信デバイスのソースを示すために使用される。
【０１６２】
任意選択で、ソースは、送信デバイスがセルカバレッジエリアの内側に配置されている、または送信デバイスがセルカバレッジエリアの外側に配置されているということを含む。
【０１６３】
さらに、第１の情報は、Ｄ２Ｄデータであり、第２の情報は、中継Ｄ２Ｄデータであり、
処理ユニット１１２は、少なくとも１つのＤ２Ｄデータ内の中継Ｄ２Ｄデータを少なくとも１つのＤ２Ｄデータのうちのそれぞれの情報属性に従って決定するように特に構成されており、または
第１の情報は、第１のＤ２Ｄデータスケジューリング割り当てＳＡシグナリングであり、第２の情報は、中継Ｄ２Ｄデータであり、
処理ユニット１１２は、少なくとも１つの第１のＤ２Ｄデータスケジューリング割り当てＳＡシグナリングのうちのそれぞれの対応するＤ２Ｄデータの情報属性に従って第２のＤ２Ｄデータスケジューリング割り当てＳＡシグナリングを決定し、その第２のＤ２Ｄデータスケジューリング割り当てＳＡシグナリングに従って中継Ｄ２Ｄデータを決定するように特に構成されており、または
第１の情報は、Ｄ２Ｄディスカバリー信号であり、第２の情報は、中継Ｄ２Ｄディスカバリー信号であり、
処理ユニット１１２は、少なくとも１つのＤ２Ｄディスカバリー信号内の中継Ｄ２Ｄディスカバリー信号を少なくとも１つのＤ２Ｄディスカバリー信号のうちのそれぞれの情報属性に従って決定するように特に構成されている。
【０１６４】
任意選択で、処理ユニット１１２は、少なくとも１つの第１の情報のうちのそれぞれの冗長パリティービットＣＲＣに従ってそれぞれの１つの第１の情報の対応する情報の情報属性を入手するように特に構成されている。ＣＲＣのマスクが、情報属性を示すために使用される。
【０１６５】
任意選択で、第１の情報は、少なくとも２つのコードセグメントを含む。
【０１６６】
処理ユニット１１２は、少なくとも２つのＣＲＣのマスクを少なくとも２つのコードセグメントのＣＲＣに従って入手するように特に構成されている。それぞれのコードセグメントは、１つのＣＲＣに対応する。少なくとも２つのＣＲＣのマスクは、第１の情報の対応する情報の情報属性を示すために使用される。
【０１６７】
任意選択で、ＣＲＣのマスク間において、事前に設定されたハミング距離がある。ＣＲＣのマスクは、００００  ００００  ００００  ００００  ００００  ００００、１１１１  １１１１  １１１１  １１１１  １１１１  １１１１、１０１０  １０１０  １０１０  １０１０  １０１０  １０１０、０１０１  ０１０１  ０１０１  ０１０１  ０１０１  ０１０１、１１００  １１００  １１００  １１００  １１００  １１００、００１１  ００１１  ００１１  ００１１  ００１１  ００１１、１１１１  ００００  １１１１  ００００  １１１１  ００００、または００００  １１１１  ００００  １１１１  ００００  １１１１という形式のうちの少なくとも１つを含む。
【０１６８】
さらに、処理ユニット１１２は、第２の情報の情報属性を更新するようにさらに構成されている。
【０１６９】
この実施形態における受信ユニット１１１は、伝送デバイスの受信機であってよく、送信ユニット１１３は、伝送デバイスの送信機であってよいということに留意されたい。処理ユニット１１２は、別個に配置されたプロセッサであってよく、または伝送デバイスのプロセッサ内に統合されることによって実装されてもよく、加えて、プログラムコードの形式で伝送デバイスのメモリ内に格納されてもよい。伝送デバイスのプロセッサは、前述の処理ユニット１１２の機能を呼び出して実行する。本明細書におけるプロセッサは、中央処理装置（英語のフルネーム：  Ｃｅｎｔｒａｌ  Ｐｒｏｃｅｓｓｉｎｇ  Ｕｎｉｔ、略してＣＰＵ）、もしくは特定用途向け集積回路（英語のフルネーム：  Ａｐｐｌｉｃａｔｉｏｎ  Ｓｐｅｃｉｆｉｃ  Ｉｎｔｅｇｒａｔｅｄ  Ｃｉｒｃｕｉｔ、略してＡＳＩＣ）であってよく、または本発明のこの実施形態を実施するように構成されている１つもしくは複数の集積回路であってもよい。
【０１７０】
図１２を参照すると、デバイスツーデバイスプロキシミティーサービスＤ２Ｄ通信のために使用される送信デバイス１２が提供されており、この送信デバイス１２は、
第１の情報を送信するように構成されている送信ユニット１２１を含み、第１の情報は、第１の情報の対応する情報の情報属性を含み、それによって、第１の情報を受信する伝送デバイスが、第１の情報の対応する情報の情報属性に従って第２の情報を決定する。
【０１７１】
本発明のこの実施形態において提供されている送信デバイスは、送信される第１の情報の対応する情報の情報属性を第１の情報内に構成することができ、それによって伝送デバイスが、受信された第１の情報内に含まれている情報属性に従って、中継される第２の情報を決定することができ、中継ＵＥとして使用される伝送デバイスは、受信された情報を区別して、正常なＤ２Ｄ通信を実施することができる。
【０１７２】
さらに、図１２を参照すると、送信デバイス１２は、第１の情報の対応する情報の情報属性を、送信ユニット１２１によって送信される第１の情報内に構成するように構成されている処理ユニット１２２をさらに含む。情報属性は、伝送レイヤ、優先度、またはソースのうちの１つまたは複数を含む。伝送レイヤは、第１の情報の対応する情報が伝送デバイスへ転送される前に第１の情報の対応する情報が転送される時間の量を示すために使用される。優先度は、第１の情報の対応する情報が処理される優先度を示すために使用される。ソースは、第１の情報の対応する情報を送信する送信デバイスのソースを示すために使用される。
【０１７３】
任意選択で、第１の情報は、Ｄ２Ｄデータ、Ｄ２Ｄデータスケジューリング割り当てＳＡシグナリング、またはＤ２Ｄディスカバリー信号のうちの１つまたは複数を含む。
【０１７４】
任意選択で、ソースは、送信デバイスがセルカバレッジエリアの内側に配置されている、または送信デバイスがセルカバレッジエリアの外側に配置されているということを含む。
【０１７５】
さらに、処理ユニット１２２は、第１の情報のＣＲＣに関するＣＲＣのマスクを構成するように特に構成されている。ＣＲＣのマスクは、第１の情報の対応する情報の情報属性を示すために使用される。
【０１７６】
任意選択で、第１の情報は、少なくとも２つのコードセグメントを含む。第１の情報は、少なくとも２つのコードセグメントを含む。
【０１７７】
処理ユニット１２２は、第１の情報のそれぞれのコードセグメントに関するＣＲＣのマスクを構成するように特に構成されている。少なくとも２つのＣＲＣのマスクは、第１の情報の対応する情報の情報属性を示すために使用される。
【０１７８】
任意選択で、ＣＲＣのマスク間において、事前に設定されたハミング距離がある。第４の態様の第６の可能な実装形態に関連して、第７の可能な実装形態においては、ＣＲＣのマスクは、００００  ００００  ００００  ００００  ００００  ００００、１１１１  １１１１  １１１１  １１１１  １１１１  １１１１、１０１０  １０１０  １０１０  １０１０  １０１０  １０１０、０１０１  ０１０１  ０１０１  ０１０１  ０１０１  ０１０１、１１００  １１００  １１００  １１００  １１００  １１００、００１１  ００１１  ００１１  ００１１  ００１１  ００１１、１１１１  ００００  １１１１  ００００  １１１１  ００００、または００００  １１１１  ００００  １１１１  ００００  １１１１という形式のうちの少なくとも１つを含む。
【０１７９】
この実施形態における送信ユニット１２１は、伝送デバイスの送信機であってよいということに留意されたい。処理ユニット１１２は、別個に配置されたプロセッサであってよく、または伝送デバイスのプロセッサ内に統合されることによって実装されてもよく、加えて、プログラムコードの形式で伝送デバイスのメモリ内に格納されてもよい。伝送デバイスのプロセッサは、前述の処理ユニット１１２の機能を呼び出して実行する。本明細書におけるプロセッサは、中央処理装置（英語のフルネーム：  Ｃｅｎｔｒａｌ  Ｐｒｏｃｅｓｓｉｎｇ  Ｕｎｉｔ、略してＣＰＵ）、もしくは特定用途向け集積回路（英語のフルネーム：  Ａｐｐｌｉｃａｔｉｏｎ  Ｓｐｅｃｉｆｉｃ  Ｉｎｔｅｇｒａｔｅｄ  Ｃｉｒｃｕｉｔ、略してＡＳＩＣ）であってよく、または本発明のこの実施形態を実施するように構成されている１つもしくは複数の集積回路であってもよい。
【０１８０】
図１３を参照すると、デバイスツーデバイスプロキシミティーサービスＤ２Ｄ通信のために使用される伝送デバイス１３が提供されており、この伝送デバイス１３は、プロセッサ１３１、第１のインターフェース回路１３２、メモリ１３３、およびバス１３４を含む。プロセッサ１３１、第１のインターフェース回路１３２、およびメモリ１３３は、バス１３４を使用することによって互いに接続されて互いに通信する。
【０１８１】
本明細書におけるプロセッサ１３１は、１つのプロセッサであってよく、または複数の処理要素の総称であってもよいということに留意されたい。たとえば、プロセッサは、中央処理装置ＣＰＵであってよく、特定用途向け集積回路ＡＳＩＣであってもよく、または本発明のこの実施形態を実施するように構成されている１つもしくは複数の集積回路、たとえば、１つもしくは複数のマイクロプロセッサ（英語のフルネーム：  ｄｉｇｉｔａｌ  ｓｉｎｇｎａｌ  ｐｒｏｃｅｓｓｏｒ、略してＤＳＰ）、もしくは１つもしくは複数のフィールドプログラマブルゲートアレイ（英語のフルネーム：  Ｆｉｅｌｄ  Ｐｒｏｇｒａｍｍａｂｌｅ  Ｇａｔｅ  Ａｒｒａｙ、略してＦＰＧＡ）であってもよい。
【０１８２】
メモリ１３３は、１つのストレージ装置であってよく、または複数のストレージ要素の総称であってもよく、アクセスネットワーク管理デバイスのオペレーションにおいて必要とされる実行可能プログラムコードまたはパラメータ、データなどを格納するように構成されている。メモリ１３３は、ランダムアクセスメモリ（英語のフルネーム：  Ｒａｎｄｏｍ−Ａｃｃｅｓｓ  Ｍｅｍｏｒｙ、略してＲＡＭ）を含んでよく、または不揮発性メモリ（英語のフルネーム：  ｎｏｎ−ｖｏｌａｔｉｌｅ  ｍｅｍｏｒｙ、略してＮＶＲＡＭ）、たとえば、磁気ディスクストレージもしくはフラッシュ（Ｆｌａｓｈ）を含んでもよい。
【０１８３】
バス１３４は、業界標準アーキテクチャ（英語のフルネーム：  Ｉｎｄｕｓｔｒｙ  Ｓｔａｎｄａｒｄ  Ａｒｃｈｉｔｅｃｔｕｒｅ、略してＩＳＡ）バス、ペリフェラルコンポーネントインターコネクト（英語のフルネーム：  Ｐｅｒｉｐｈｅｒａｌ  Ｃｏｍｐｏｎｅｎｔ、略してＰＣＩ）バス、拡張業界標準アーキテクチャ（英語のフルネーム：  Ｅｘｔｅｎｄｅｄ  Ｉｎｄｕｓｔｒｙ  Ｓｔａｎｄａｒｄ  Ａｒｃｈｉｔｅｃｔｕｒｅ、略してＥＩＳＡ）バスなどであってよい。バス１３４は、アドレスバス、データバス、コントロールバスなどへと分類され得る。表示しやすくするために、バス１３４は、図１３においては唯一の太線を使用することによって表されているが、それは、１つのバスしかない、または１つのタイプのバスしかないということを示しているわけではない。
【０１８４】
第１のインターフェース回路１３２は、少なくとも１つの第１の情報を受信するように構成されている。
【０１８５】
プロセッサ１３１は、第１のインターフェース回路１３２によって受信された少なくとも１つの第１の情報のうちのそれぞれの対応する情報の情報属性を決定するように構成されている。
【０１８６】
プロセッサ１３１は、少なくとも１つの第１の情報のうちのそれぞれの対応する情報の情報属性に従って第２の情報を決定するようにさらに構成されている。
【０１８７】
本発明のこの実施形態において提供されている伝送デバイスは、受信された第１の情報の対応する情報のものである、かつ第１の情報内に含まれている情報属性に従って、中継される第２の情報を決定することができ、それによって中継ＵＥは、受信された情報を区別して、正常なＤ２Ｄ通信を実施することができる。
【０１８８】
任意選択で、図１３を参照すると、伝送デバイス１３は、プロセッサ１３１によって決定された第２の情報を送信するように構成されている第２のインターフェース回路１３５をさらに含む。
【０１８９】
任意選択で、情報属性は、伝送レイヤ、優先度、またはソースのうちの１つまたは複数を含む。伝送レイヤは、第１の情報の対応する情報が伝送デバイスへ転送される前に第１の情報の対応する情報が転送される時間の量を示すために使用される。優先度は、第１の情報の対応する情報が処理される優先度を示すために使用される。ソースは、第１の情報の対応する情報を送信する送信デバイスのソースを示すために使用される。
【０１９０】
任意選択で、ソースは、送信デバイスがセルカバレッジエリアの内側に配置されている、または送信デバイスがセルカバレッジエリアの外側に配置されているということを含む。
【０１９１】
さらに、第１の情報は、Ｄ２Ｄデータであり、第２の情報は、中継Ｄ２Ｄデータである。
【０１９２】
プロセッサ１３１は、少なくとも１つのＤ２Ｄデータ内の中継Ｄ２Ｄデータを少なくとも１つのＤ２Ｄデータのうちのそれぞれの情報属性に従って決定するように特に構成されており、または
第１の情報は、第１のＤ２Ｄデータスケジューリング割り当てＳＡシグナリングであり、第２の情報は、中継Ｄ２Ｄデータであり、
プロセッサ１３１は、少なくとも１つの第１のＤ２Ｄデータスケジューリング割り当てＳＡシグナリングのうちのそれぞれの対応するＤ２Ｄデータの情報属性に従って第２のＤ２Ｄデータスケジューリング割り当てＳＡシグナリングを決定し、第２のＤ２Ｄデータスケジューリング割り当てＳＡシグナリングに従って中継Ｄ２Ｄデータを決定するように特に構成されており、または
第１の情報は、Ｄ２Ｄディスカバリー信号であり、第２の情報は、中継Ｄ２Ｄディスカバリー信号であり、
プロセッサ１３１は、少なくとも１つのＤ２Ｄディスカバリー信号内の中継Ｄ２Ｄディスカバリー信号を少なくとも１つのＤ２Ｄディスカバリー信号のうちのそれぞれの情報属性に従って決定するように特に構成されている。
【０１９３】
さらに、任意選択で、プロセッサ１３１は、少なくとも１つの第１の情報のうちのそれぞれの冗長パリティービットＣＲＣに従ってそれぞれの１つの第１の情報の対応する情報の情報属性を入手するように特に構成されている。ＣＲＣのマスクが、情報属性を示すために使用される。
【０１９４】
任意選択で、第１の情報は、少なくとも２つのコードセグメントを含む。
【０１９５】
プロセッサ１３１は、少なくとも２つのＣＲＣのマスクを少なくとも２つのコードセグメントのＣＲＣに従って入手するように特に構成されている。それぞれのコードセグメントは、１つのＣＲＣに対応する。少なくとも２つのＣＲＣのマスクは、第１の情報の対応する情報の情報属性を示すために使用される。
【０１９６】
任意選択で、ＣＲＣのマスク間において、事前に設定されたハミング距離がある。ＣＲＣのマスクは、００００  ００００  ００００  ００００  ００００  ００００、１１１１  １１１１  １１１１  １１１１  １１１１  １１１１、１０１０  １０１０  １０１０  １０１０  １０１０  １０１０、０１０１  ０１０１  ０１０１  ０１０１  ０１０１  ０１０１、１１００  １１００  １１００  １１００  １１００  １１００、００１１  ００１１  ００１１  ００１１  ００１１  ００１１、１１１１  ００００  １１１１  ００００  １１１１  ００００、または００００  １１１１  ００００  １１１１  ００００  １１１１という形式のうちの少なくとも１つを含む。
【０１９７】
さらに、プロセッサ１３１は、第２の情報の情報属性を更新するようにさらに構成されている。
【０１９８】
図１４を参照すると、デバイスツーデバイスプロキシミティーサービスＤ２Ｄ通信のために使用される送信デバイス１４が提供されており、この送信デバイス１４は、プロセッサ１４１、インターフェース回路１４２、メモリ１４３、およびバス１４４を含む。プロセッサ１４１、インターフェース回路１４２、およびメモリ１４３は、バス１４４を使用することによって互いに接続されて互いに通信する。
【０１９９】
本明細書におけるプロセッサ１４１は、１つのプロセッサであってよく、または複数の処理要素の総称であってもよいということに留意されたい。たとえば、プロセッサは、中央処理装置ＣＰＵであってよく、特定用途向け集積回路ＡＳＩＣであってもよく、または本発明のこの実施形態を実施するように構成されている１つもしくは複数の集積回路、たとえば、１つもしくは複数のマイクロプロセッサ（英語のフルネーム：  ｄｉｇｉｔａｌ  ｓｉｎｇｎａｌ  ｐｒｏｃｅｓｓｏｒ、略してＤＳＰ）、もしくは１つもしくは複数のフィールドプログラマブルゲートアレイ（英語のフルネーム：  Ｆｉｅｌｄ  Ｐｒｏｇｒａｍｍａｂｌｅ  Ｇａｔｅ  Ａｒｒａｙ、略してＦＰＧＡ）であってもよい。
【０２００】
メモリ１４３は、１つのストレージ装置であってよく、または複数のストレージ要素の総称であってもよく、アクセスネットワーク管理デバイスのオペレーションにおいて必要とされる実行可能プログラムコードまたはパラメータ、データなどを格納するように構成されている。メモリ１４３は、ランダムアクセスメモリ（英語のフルネーム：  Ｒａｎｄｏｍ−Ａｃｃｅｓｓ  Ｍｅｍｏｒｙ、略してＲＡＭ）を含んでよく、または不揮発性メモリ（英語のフルネーム：  ｎｏｎ−ｖｏｌａｔｉｌｅ  ｍｅｍｏｒｙ、略してＮＶＲＡＭ）、たとえば、磁気ディスクストレージもしくはフラッシュ（Ｆｌａｓｈ）を含んでもよい。
【０２０１】
バス１４４は、業界標準アーキテクチャ（英語のフルネーム：  Ｉｎｄｕｓｔｒｙ  Ｓｔａｎｄａｒｄ  Ａｒｃｈｉｔｅｃｔｕｒｅ、略してＩＳＡ）バス、ペリフェラルコンポーネントインターコネクト（英語のフルネーム：  Ｐｅｒｉｐｈｅｒａｌ  Ｃｏｍｐｏｎｅｎｔ、略してＰＣＩ）バス、拡張業界標準アーキテクチャ（英語のフルネーム：  Ｅｘｔｅｎｄｅｄ  Ｉｎｄｕｓｔｒｙ  Ｓｔａｎｄａｒｄ  Ａｒｃｈｉｔｅｃｔｕｒｅ、略してＥＩＳＡ）バスなどであってよい。バス１４４は、アドレスバス、データバス、コントロールバスなどへと分類され得る。表示しやすくするために、バス１４４は、図１４においては唯一の太線を使用することによって表されているが、それは、１つのバスしかない、または１つのタイプのバスしかないということを示しているわけではない。
【０２０２】
インターフェース回路１４２は、第１の情報を送信するように構成されている。第１の情報は、第１の情報の対応する情報の情報属性を含み、それによって、第１の情報を受信する伝送デバイスが、第１の情報の対応する情報の情報属性に従って第２の情報を決定する。
【０２０３】
本発明のこの実施形態において提供されている送信デバイスは、送信される第１の情報の対応する情報の情報属性を第１の情報内に構成することができ、それによって伝送デバイスが、受信された第１の情報内に含まれている情報属性に従って、中継される第２の情報を決定することができ、中継ＵＥとして使用される伝送デバイスは、受信された情報を区別して、正常なＤ２Ｄ通信を実施することができる。
【０２０４】
さらに、図１４を参照すると、プロセッサ１４１は、第１の情報の対応する情報の情報属性を、インターフェース回路１４２によって送信される第１の情報内に構成するように構成されている。情報属性は、伝送レイヤ、優先度、またはソースのうちの１つまたは複数を含む。伝送レイヤは、第１の情報の対応する情報が伝送デバイスへ転送される前に第１の情報の対応する情報が転送される時間の量を示すために使用される。優先度は、第１の情報の対応する情報が処理される優先度を示すために使用される。ソースは、第１の情報の対応する情報を送信する送信デバイスのソースを示すために使用される。
【０２０５】
任意選択で、第１の情報は、Ｄ２Ｄデータ、Ｄ２Ｄデータスケジューリング割り当てＳＡシグナリング、またはＤ２Ｄディスカバリー信号のうちの１つまたは複数を含む。
【０２０６】
任意選択で、ソースは、送信デバイスがセルカバレッジエリアの内側に配置されている、または送信デバイスがセルカバレッジエリアの外側に配置されているということを含む。
【０２０７】
さらに、プロセッサ１４１は、第１の情報のＣＲＣに関するＣＲＣのマスクを構成するように特に構成されている。ＣＲＣのマスクは、第１の情報の対応する情報の情報属性を示すために使用される。
【０２０８】
任意選択で、第１の情報は、少なくとも２つのコードセグメントを含む。
【０２０９】
プロセッサ１４１は、第１の情報のそれぞれのコードセグメントに関するＣＲＣのマスクを構成するように特に構成されている。少なくとも２つのＣＲＣのマスクは、第１の情報の対応する情報の情報属性を示すために使用される。
【０２１０】
任意選択で、ＣＲＣのマスク間において、事前に設定されたハミング距離がある。ＣＲＣのマスクは、００００  ００００  ００００  ００００  ００００  ００００、１１１１  １１１１  １１１１  １１１１  １１１１  １１１１、１０１０  １０１０  １０１０  １０１０  １０１０  １０１０、０１０１  ０１０１  ０１０１  ０１０１  ０１０１  ０１０１、１１００  １１００  １１００  １１００  １１００  １１００、００１１  ００１１  ００１１  ００１１  ００１１  ００１１、１１１１  ００００  １１１１  ００００  １１１１  ００００、または００００  １１１１  ００００  １１１１  ００００  １１１１という形式のうちの少なくとも１つを含む。
【０２１１】
加えて、コンピュータ可読命令を含むコンピュータ可読メディア（またはメディア）がさらに提供され、そのコンピュータ可読命令が実行されているときに、そのコンピュータ可読命令は、前述の実施形態における方法の１０１から１０４、２０１から２０４、３０１から３０４、４０１から４０５、または５０１から５０６、または６００から６０１のオペレーションを実行する。
【０２１２】
加えて、前述のコンピュータ可読メディアを含むコンピュータプログラム製品がさらに提供される。
【０２１３】
前述のプロセスのシーケンス番号は、本発明のさまざまな実施形態における実行シーケンスを意味するわけではないということを理解されたい。プロセスの実行シーケンスは、プロセスの機能および内部ロジックに従って決定されるべきであり、本発明の実施形態の実施プロセスに対する何らかの限定と解釈されるべきではない。
【０２１４】
本明細書において開示されている実施形態において記述されている例と組み合わせれば、電子ハードウェア、またはコンピュータソフトウェアと電子ハードウェアとの組合せによってユニットおよびアルゴリズムステップが実施され得るということを当技術分野における標準的な技術者なら認識し得る。機能がハードウェアによって実行されるか、またはソフトウェアによって実行されるかは、技術的なソリューションの個別の用途および設計制約条件に依存する。当業者なら、説明されている機能をそれぞれの個別の用途のために実施する目的でさまざまな方法を使用し得るが、その実施は本発明の範囲を超えるものとみなされるべきではない。
【０２１５】
便利で簡単な説明の目的で、前述のシステム、装置、およびユニットの詳細な機能プロセスに関しては、前述の方法実施形態における対応するプロセスに対して参照が行われ得るということが当業者によって明らかに理解され得、詳細がここで再び記述されることはない。
【０２１６】
本出願において提供されているいくつかの実施形態においては、開示されているシステム、装置、および方法がその他の様式で実施され得るということを理解されたい。たとえば、記述されている装置実施形態は、例にすぎない。たとえば、ユニットの区分は、論理的な機能区分にすぎず、実際の実施においてはその他の区分であってもよい。たとえば、複数のユニットもしくはコンポーネントが組み合わされてもしくは統合されて別のシステムになってもよく、またはいくつかの機能が無視されてもよく、もしくは実行されなくてもよい。加えて、表示されているまたは論じられている相互の結合または直接の結合または通信接続は、いくつかのインターフェースを使用することによって実施され得る。装置またはユニット間における間接的な結合または通信接続は、電子的な形態、機械的な形態、またはその他の形態で実施され得る。
【０２１７】
別々の部分として記述されているユニットは、物理的に別々であってもよく、または物理的に別々でなくてもよく、ユニットとして表示されている部分は、物理的なユニットであってもよく、または物理的なユニットでなくてもよく、１つの位置に配置されてもよく、または複数のネットワークユニット上に分散されてもよい。ユニットのうちのいくつかまたはすべては、実施形態のソリューションの目的を達成するために実際のニーズに従って選択され得る。
【０２１８】
加えて、本発明の実施形態における諸機能ユニットが統合されて１つの処理ユニットになってもよく、またはそれらのユニットのそれぞれが物理的に単独で存在してもよく、または複数のユニットが統合されて１つのユニットになる。
【０２１９】
機能がソフトウェア機能ユニットの形態で実装されて、独立した製品として販売または使用される場合には、それらの機能は、コンピュータ可読ストレージメディア内に格納され得る。そのような理解に基づいて、本質的に本発明の技術的なソリューション、または従来技術に貢献する部分、またはそれらの技術的なソリューションのいくつかが、ソフトウェア製品の形態で実装され得る。そのソフトウェア製品は、ストレージメディア内に格納され、本発明の実施形態において記述されている方法のステップのうちのすべてまたはいくつかを実行するようコンピュータデバイス（パーソナルコンピュータ、サーバ、もしくはネットワークデバイスであり得る）に指示するためのいくつかの命令を含む。前述のストレージメディアは、ＵＳＢフラッシュドライブ、取り外し可能なハードディスク、読み取り専用メモリ（略してＲＯＭ、英語のフルネーム：  Ｒｅａｄ−Ｏｎｌｙ  Ｍｅｍｏｒｙ）、ランダムアクセスメモリ（略してＲＡＭ、英語のフルネーム：  Ｒａｎｄｏｍ  Ａｃｃｅｓｓ  Ｍｅｍｏｒｙ）、磁気ディスク、または光ディスクなど、プログラムコードを格納することができる任意のメディアを含む。
【０２２０】
前述の説明は、本発明の特定の実装形態にすぎず、本発明の保護範囲を限定することを意図されているものではない。本発明において開示されている技術的な範囲内で当業者によって容易に考え出されるいかなる変形形態または代替形態も、本発明の保護範囲内に収まるものとする。したがって、本発明の保護範囲は、特許請求の範囲の保護範囲に従うものとする。
【図１】
2018515002.tif 000007
【図２】
2018515002.tif 000008
【図３】
2018515002.tif 000009
【図４】
2018515002.tif 000010
【図５】
2018515002.tif 000011
【図６】
2018515002.tif 000012
【図７】
2018515002.tif 000013
【図８】
2018515002.tif 000014
【図９】
2018515002.tif 000015
【図１０】
2018515002.tif 000016
【図１１】
2018515002.tif 000017
【図１２】
2018515002.tif 000018
【図１３】
2018515002.tif 000019
【図１４】
2018515002.tif 000020
【手続補正書】
【提出日】平成29年11月9日(2017.11.9)
【手続補正１】
【補正対象書類名】特許請求の範囲
【補正対象項目名】全文
【補正方法】変更
【補正の内容】
【特許請求の範囲】
【請求項１】
デバイスツーデバイスプロキシミティーサービスＤ２Ｄ通信のために使用される情報伝送方法であって、
伝送デバイスによって、少なくとも１つの第１の情報を受信するステップと、
前記伝送デバイスによって、前記少なくとも１つの第１の情報のうちのそれぞれの対応する情報の情報属性を決定するステップと、
前記伝送デバイスによって、前記少なくとも１つの第１の情報のうちのそれぞれの前記対応する情報の前記情報属性に従って第２の情報を決定するステップとを含む方法。
【請求項２】
前記伝送デバイスによって、前記第２の情報を送信するステップ
をさらに含む請求項１に記載の方法。
【請求項３】
前記情報属性は、伝送レイヤ、優先度、またはソースのうちの１つまたは複数を含み、前記伝送レイヤは、前記第１の情報の前記対応する情報が前記伝送デバイスへ転送される前に前記第１の情報の前記対応する情報が転送される時間の量を示すために使用され、前記優先度は、前記第１の情報の前記対応する情報が処理される優先度を示すために使用され、前記ソースは、前記第１の情報の前記対応する情報を送信する送信デバイスのソースを示すために使用される請求項１に記載の方法。
【請求項４】
前記ソースは、前記送信デバイスがセルカバレッジエリアの内側に配置されている、または前記送信デバイスがセルカバレッジエリアの外側に配置されているということを含む請求項１に記載の方法。
【請求項５】
前記第１の情報は、Ｄ２Ｄデータであり、前記第２の情報は、中継Ｄ２Ｄデータであり、
前記伝送デバイスによって、前記少なくとも１つの第１の情報のうちのそれぞれの前記対応する情報の前記情報属性に従って第２の情報を決定する前記ステップは、
前記伝送デバイスによって、少なくとも１つのＤ２Ｄデータ内の前記中継Ｄ２Ｄデータを前記少なくとも１つのＤ２Ｄデータのうちのそれぞれの情報属性に従って決定するステップを含み、または
前記第１の情報は、第１のＤ２Ｄデータスケジューリング割り当てＳＡシグナリングであり、前記第２の情報は、中継Ｄ２Ｄデータであり、
前記伝送デバイスによって、前記少なくとも１つの第１の情報のうちのそれぞれの前記対応する情報の前記情報属性に従って第２の情報を決定する前記ステップは、
前記伝送デバイスによって、少なくとも１つの第１のＤ２Ｄデータスケジューリング割り当てＳＡシグナリングのうちのそれぞれの対応するＤ２Ｄデータの情報属性に従って第２のＤ２Ｄデータスケジューリング割り当てＳＡシグナリングを決定し、前記第２のＤ２Ｄデータスケジューリング割り当てＳＡシグナリングに従って前記中継Ｄ２Ｄデータを決定するステップを含み、または
前記第１の情報は、Ｄ２Ｄディスカバリー信号であり、前記第２の情報は、中継Ｄ２Ｄディスカバリー信号であり、
前記伝送デバイスによって、前記少なくとも１つの第１の情報のうちのそれぞれの前記対応する情報の前記情報属性に従って第２の情報を決定する前記ステップは、
前記伝送デバイスによって、少なくとも１つのＤ２Ｄディスカバリー信号内の前記中継Ｄ２Ｄディスカバリー信号を前記少なくとも１つのＤ２Ｄディスカバリー信号のうちのそれぞれの情報属性に従って決定するステップを含む
請求項１に記載の方法。
【請求項６】
前記伝送デバイスによって、前記少なくとも１つの第１の情報のうちのそれぞれの対応する情報の情報属性を決定する前記ステップは、
前記伝送デバイスによって、前記少なくとも１つの第１の情報のうちのそれぞれの冗長パリティービットＣＲＣに従ってそれぞれの１つの第１の情報の前記対応する情報の前記情報属性を入手するステップを含み、前記ＣＲＣのマスクが、前記情報属性を示すために使用される請求項１に記載の方法。
【請求項７】
前記第１の情報は、少なくとも２つのコードセグメントを含み、
前記伝送デバイスによって、前記少なくとも１つの第１の情報のうちのそれぞれの冗長パリティービットＣＲＣに従って前記情報属性を入手する前記ステップは、
前記伝送デバイスによって、少なくとも２つのＣＲＣのマスクを前記少なくとも２つのコードセグメントのＣＲＣに従って入手するステップを含み、それぞれのコードセグメントは、１つのＣＲＣに対応し、前記少なくとも２つのＣＲＣの前記マスクは、前記第１の情報の前記対応する情報の前記情報属性を示すために使用される請求項６に記載の方法。
【請求項８】
前記ＣＲＣの前記マスク間において、事前に設定されたハミング距離がある請求項６または７に記載の方法。
【請求項９】
前記ＣＲＣの前記マスクは、００００  ００００  ００００  ００００  ００００  ００００、１１１１  １１１１  １１１１  １１１１  １１１１  １１１１、１０１０  １０１０  １０１０  １０１０  １０１０  １０１０、０１０１  ０１０１  ０１０１  ０１０１  ０１０１  ０１０１、１１００  １１００  １１００  １１００  １１００  １１００、００１１  ００１１  ００１１  ００１１  ００１１  ００１１、１１１１  ００００  １１１１  ００００  １１１１  ００００、または００００  １１１１  ００００  １１１１  ００００  １１１１という形式のうちの少なくとも１つを含む請求項８に記載の方法。
【請求項１０】
前記伝送デバイスによって、前記第２の情報を送信する前記ステップの前に、
前記伝送デバイスによって、前記第２の情報の情報属性を更新するステップをさらに含む請求項２に記載の方法。
【請求項１１】
デバイスツーデバイスプロキシミティーサービスＤ２Ｄ通信のために使用される情報伝送方法であって、
前記送信デバイスによって、第１の情報を送信するステップを含み、前記第１の情報は、前記第１の情報の対応する情報の情報属性を含み、それによって、前記第１の情報を受信する伝送デバイスが、前記第１の情報の前記対応する情報の前記情報属性に従って第２の情報を決定する、方法。
【請求項１２】
前記送信デバイスによって、第１の情報を送信する前記ステップの前に、前記送信デバイスによって、前記第１の情報の前記対応する情報の前記情報属性を前記第１の情報内に構成するステップをさらに含み、前記情報属性は、伝送レイヤ、優先度、またはソースのうちの１つまたは複数を含み、前記伝送レイヤは、前記第１の情報の前記対応する情報が前記伝送デバイスへ転送される前に前記第１の情報の前記対応する情報が転送される時間の量を示すために使用され、前記優先度は、前記第１の情報の前記対応する情報が処理される優先度を示すために使用され、前記ソースは、前記第１の情報の前記対応する情報を送信する前記送信デバイスのソースを示すために使用される請求項１１に記載の方法。
【請求項１３】
前記第１の情報は、Ｄ２Ｄデータ、Ｄ２Ｄデータスケジューリング割り当てＳＡシグナリング、またはＤ２Ｄディスカバリー信号のうちの１つまたは複数を含む
請求項１１に記載の方法。
【請求項１４】
前記ソースは、前記送信デバイスがセルカバレッジエリアの内側に配置されている、または前記送信デバイスがセルカバレッジエリアの外側に配置されているということを含む請求項１２に記載の方法。
【請求項１５】
前記送信デバイスによって、前記第１の情報の前記対応する情報の前記情報属性を前記第１の情報内に構成する前記ステップは、
前記送信デバイスによって、前記第１の情報のＣＲＣに関するＣＲＣのマスクを構成するステップを含み、前記ＣＲＣの前記マスクは、前記第１の情報の前記対応する情報の前記情報属性を示すために使用される請求項１２に記載の方法。
【請求項１６】
前記第１の情報は、少なくとも２つのコードセグメントを含み、
前記送信デバイスによって、前記第１の情報のＣＲＣに関するＣＲＣのマスクを構成する前記ステップは、前記送信デバイスによって、前記第１の情報のそれぞれのコードセグメントに関するＣＲＣのマスクを構成するステップを含み、前記少なくとも２つのＣＲＣの前記マスクは、前記第１の情報の前記対応する情報の前記情報属性を示すために使用される請求項１５に記載の方法。
【請求項１７】
前記ＣＲＣの前記マスク間において、事前に設定されたハミング距離がある請求項１５または１６に記載の方法。
【請求項１８】
前記ＣＲＣの前記マスクは、００００  ００００  ００００  ００００  ００００  ００００、１１１１  １１１１  １１１１  １１１１  １１１１  １１１１、１０１０  １０１０  １０１０  １０１０  １０１０  １０１０、０１０１  ０１０１  ０１０１  ０１０１  ０１０１  ０１０１、１１００  １１００  １１００  １１００  １１００  １１００、００１１  ００１１  ００１１  ００１１  ００１１  ００１１、１１１１  ００００  １１１１  ００００  １１１１  ００００、または００００  １１１１  ００００  １１１１  ００００  １１１１という形式のうちの少なくとも１つを含む請求項１７に記載の方法。
【請求項１９】
デバイスツーデバイスプロキシミティーサービスＤ２Ｄ通信のために使用される伝送デバイスであって、
少なくとも１つの第１の情報を受信するように構成されている受信ユニットと、
前記受信ユニットによって受信された前記少なくとも１つの第１の情報のうちのそれぞれの対応する情報の情報属性を決定するように構成されている処理ユニットとを含み、
前記処理ユニットは、前記少なくとも１つの第１の情報のうちのそれぞれの前記対応する情報の前記情報属性に従って第２の情報を決定するようにさらに構成されている、伝送デバイス。
【請求項２０】
前記処理ユニットによって決定された前記第２の情報を送信するように構成されている送信ユニットをさらに含む請求項１９に記載の伝送デバイス。
【請求項２１】
前記情報属性は、伝送レイヤ、優先度、またはソースのうちの１つまたは複数を含み、前記伝送レイヤは、前記第１の情報の前記対応する情報が前記伝送デバイスへ転送される前に前記第１の情報の前記対応する情報が転送される時間の量を示すために使用され、前記優先度は、前記第１の情報の前記対応する情報が処理される優先度を示すために使用され、前記ソースは、前記第１の情報の前記対応する情報を送信する送信デバイスのソースを示すために使用される請求項１９に記載の伝送デバイス。
【請求項２２】
前記ソースは、前記送信デバイスがセルカバレッジエリアの内側に配置されている、または前記送信デバイスがセルカバレッジエリアの外側に配置されているということを含む請求項１９に記載の伝送デバイス。
【請求項２３】
前記第１の情報は、Ｄ２Ｄデータであり、前記第２の情報は、中継Ｄ２Ｄデータであり、
前記処理ユニットは、少なくとも１つのＤ２Ｄデータ内の前記中継Ｄ２Ｄデータを前記少なくとも１つのＤ２Ｄデータのうちのそれぞれの情報属性に従って決定するように特に構成されており、または
前記第１の情報は、第１のＤ２Ｄデータスケジューリング割り当てＳＡシグナリングであり、前記第２の情報は、中継Ｄ２Ｄデータであり、
前記処理ユニットは、少なくとも１つの第１のＤ２Ｄデータスケジューリング割り当てＳＡシグナリングのうちのそれぞれの対応するＤ２Ｄデータの情報属性に従って第２のＤ２Ｄデータスケジューリング割り当てＳＡシグナリングを決定し、前記第２のＤ２Ｄデータスケジューリング割り当てＳＡシグナリングに従って前記中継Ｄ２Ｄデータを決定するように特に構成されており、または
前記第１の情報は、Ｄ２Ｄディスカバリー信号であり、前記第２の情報は、中継Ｄ２Ｄディスカバリー信号であり、
前記処理ユニットは、少なくとも１つのＤ２Ｄディスカバリー信号内の前記中継Ｄ２Ｄディスカバリー信号を前記少なくとも１つのＤ２Ｄディスカバリー信号のうちのそれぞれの情報属性に従って決定するように特に構成されている
請求項１９に記載の伝送デバイス。
【請求項２４】
前記処理ユニットは、前記少なくとも１つの第１の情報のうちのそれぞれの冗長パリティービットＣＲＣに従ってそれぞれの１つの第１の情報の前記対応する情報の前記情報属性を入手するように特に構成されており、前記ＣＲＣのマスクが、前記情報属性を示すために使用される請求項１９に記載の伝送デバイス。
【請求項２５】
前記第１の情報は、少なくとも２つのコードセグメントを含み、
前記処理ユニットは、少なくとも２つのＣＲＣのマスクを前記少なくとも２つのコードセグメントのＣＲＣに従って入手するように特に構成されており、それぞれのコードセグメントは、１つのＣＲＣに対応し、前記少なくとも２つのＣＲＣの前記マスクは、前記第１の情報の前記対応する情報の前記情報属性を示すために使用される請求項２４に記載の伝送デバイス。
【請求項２６】
前記ＣＲＣの前記マスク間において、事前に設定されたハミング距離がある請求項２４または２５に記載の伝送デバイス。
【請求項２７】
前記ＣＲＣの前記マスクは、００００  ００００  ００００  ００００  ００００  ００００、１１１１  １１１１  １１１１  １１１１  １１１１  １１１１、１０１０  １０１０  １０１０  １０１０  １０１０  １０１０、０１０１  ０１０１  ０１０１  ０１０１  ０１０１  ０１０１、１１００  １１００  １１００  １１００  １１００  １１００、００１１  ００１１  ００１１  ００１１  ００１１  ００１１、１１１１  ００００  １１１１  ００００  １１１１  ００００、または００００  １１１１  ００００  １１１１  ００００  １１１１という形式のうちの少なくとも１つを含む請求項２６に記載の伝送デバイス。
【請求項２８】
前記処理ユニットは、前記第２の情報の情報属性を更新するようにさらに構成されている請求項２０に記載の伝送デバイス。
【請求項２９】
デバイスツーデバイスプロキシミティーサービスＤ２Ｄ通信のために使用される送信デバイスであって、
第１の情報を送信するように構成されている送信ユニットを含み、前記第１の情報は、前記第１の情報の対応する情報の情報属性を含み、それによって、前記第１の情報を受信する伝送デバイスが、前記第１の情報の前記対応する情報の前記情報属性に従って第２の情報を決定する、送信デバイス。
【請求項３０】
前記第１の情報の前記対応する情報の前記情報属性を、前記送信ユニットによって送信される前記第１の情報内に構成するように構成されている処理ユニットをさらに含み、前記情報属性は、伝送レイヤ、優先度、またはソースのうちの１つまたは複数を含み、前記伝送レイヤは、前記第１の情報の前記対応する情報が前記伝送デバイスへ転送される前に前記第１の情報の前記対応する情報が転送される時間の量を示すために使用され、前記優先度は、前記第１の情報の前記対応する情報が処理される優先度を示すために使用され、前記ソースは、前記第１の情報の前記対応する情報を送信する前記送信デバイスのソースを示すために使用される請求項２９に記載の送信デバイス。
【請求項３１】
前記第１の情報は、Ｄ２Ｄデータ、Ｄ２Ｄデータスケジューリング割り当てＳＡシグナリング、またはＤ２Ｄディスカバリー信号のうちの１つまたは複数を含む
請求項２９に記載の送信デバイス。
【請求項３２】
前記ソースは、前記送信デバイスがセルカバレッジエリアの内側に配置されている、または前記送信デバイスがセルカバレッジエリアの外側に配置されているということを含む請求項３１に記載の送信デバイス。
【請求項３３】
前記処理ユニットは、前記第１の情報のＣＲＣに関するＣＲＣのマスクを構成するように特に構成されており、前記ＣＲＣの前記マスクは、前記第１の情報の前記対応する情報の前記情報属性を示すために使用される請求項３１に記載の送信デバイス。
【請求項３４】
前記第１の情報は、少なくとも２つのコードセグメントを含み、
前記処理ユニットは、前記第１の情報のそれぞれのコードセグメントに関するＣＲＣのマスクを構成するように特に構成されており、前記少なくとも２つのＣＲＣの前記マスクは、前記第１の情報の前記対応する情報の前記情報属性を示すために使用される請求項３３に記載の送信デバイス。
【請求項３５】
前記ＣＲＣの前記マスク間において、事前に設定されたハミング距離がある請求項３３または３４に記載の送信デバイス。
【請求項３６】
前記ＣＲＣの前記マスクは、００００  ００００  ００００  ００００  ００００  ００００、１１１１  １１１１  １１１１  １１１１  １１１１  １１１１、１０１０  １０１０  １０１０  １０１０  １０１０  １０１０、０１０１  ０１０１  ０１０１  ０１０１  ０１０１  ０１０１、１１００  １１００  １１００  １１００  １１００  １１００、００１１  ００１１  ００１１  ００１１  ００１１  ００１１、１１１１  ００００  １１１１  ００００  １１１１  ００００、または００００  １１１１  ００００  １１１１  ００００  １１１１という形式のうちの少なくとも１つを含む請求項３５に記載の送信デバイス。
【請求項３７】
デバイスツーデバイスプロキシミティーサービスＤ２Ｄ通信のために使用される伝送デバイスであって、プロセッサ、第１のインターフェース回路、メモリ、およびバスを含み、前記プロセッサ、前記第１のインターフェース回路、および前記メモリは、前記バスを使用することによって互いに接続されて互いに通信し、
前記第１のインターフェース回路は、少なくとも１つの第１の情報を受信するように構成されており、
前記プロセッサは、前記第１のインターフェース回路によって受信された前記少なくとも１つの第１の情報のうちのそれぞれの対応する情報の情報属性を決定するように構成されており、
前記プロセッサは、前記少なくとも１つの第１の情報のうちのそれぞれの前記対応する情報の前記情報属性に従って第２の情報を決定するようにさらに構成されている、伝送デバイス。
【請求項３８】
デバイスツーデバイスプロキシミティーサービスＤ２Ｄ通信のために使用される送信デバイスであって、プロセッサ、インターフェース回路、メモリ、およびバスを含み、前記プロセッサ、前記インターフェース回路、および前記メモリは、前記バスを使用することによって互いに接続されて互いに通信し、
前記インターフェース回路は、第１の情報を送信するように構成されており、前記第１の情報は、前記第１の情報の対応する情報の情報属性を含み、それによって、前記第１の情報を受信する伝送デバイスが、前記第１の情報の前記対応する情報の前記情報属性に従って第２の情報を決定する、送信デバイス。
【手続補正２】
【補正対象書類名】明細書
【補正対象項目名】００４３
【補正方法】変更
【補正の内容】
【００４３】
第４の態様の第４の可能な実装形態に関連して、第５の可能な実装形態においては、第１の情報は、少なくとも２つのコードセグメントを含み、
処理ユニットは、第１の情報のそれぞれのコードセグメントに関するＣＲＣのマスクを構成するように特に構成されており、少なくとも２つのＣＲＣのマスクは、第１の情報の対応する情報の情報属性を示すために使用される。
【手続補正３】
【補正対象書類名】明細書
【補正対象項目名】００６８
【補正方法】変更
【補正の内容】
【００６８】
本発明の実施形態の技術的なソリューションは、さまざまな通信システム、たとえば、グローバルシステムフォーモバイルコミュニケーションズ（英語のフルネーム：  Ｇｌｏｂａｌ  Ｓｙｓｔｅｍ  ｆｏｒ  Ｍｏｂｉｌｅ  ｃｏｍｍｕｎｉｃａｔｉｏｎ、略してＧＳＭ）システム、符号分割多元接続（英語のフルネーム：  Ｃｏｄｅ  Ｄｉｖｉｓｉｏｎ  Ｍｕｌｔｉｐｌｅ  Ａｃｃｅｓｓ、略してＣＤＭＡ）システム、ワイドバンド符号分割多元接続（英語のフルネーム：  Ｗｉｄｅｂａｎｄ  Ｃｏｄｅ  Ｄｉｖｉｓｉｏｎ  Ｍｕｌｔｉｐｌｅ  Ａｃｃｅｓｓ、略してＷＣＤＭＡ）システム、ジェネラルパケットラジオサービス（英語のフルネーム：  Ｇｅｎｅｒａｌ  Ｐａｃｋｅｔ  Ｒａｄｉｏ  Ｓｅｒｖｉｃｅ、略してＧＰＲＳ）、ロングタームエボリューション（英語のフルネーム：  Ｌｏｎｇ  Ｔｅｒｍ  Ｅｖｏｌｕｔｉｏｎ、略してＬＴＥ）システム、ＬＴＥ周波数分割複信（英語のフルネーム：  Ｆｒｅｑｕｅｎｃｙ  Ｄｉｖｉｓｉｏｎ  Ｄｕｐｌｅｘ、略してＦＤＤ）システム、ＬＴＥ時分割複信（英語のフルネーム：  Ｔｉｍｅ  Ｄｉｖｉｓｉｏｎ  Ｄｕｐｌｅｘ、略してＴＤＤ）、ユニバーサルモバイルテレコミュニケーションズシステム（英語のフルネーム：  Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、略してＵＭＴＳ）、ワールドワイドインターオペラビリティーフォーマイクロウェーブアクセス（英語のフルネーム：  Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、略してＷｉＭＡＸ）通信システムなどに適用され得るということを理解されたい。
【手続補正４】
【補正対象書類名】図面
【補正対象項目名】図１３
【補正方法】変更
【補正の内容】
【図１３】
2018515002.tif 000021
【国際調査報告】
2018515002.tif 000022
2018515002.tif 000023
2018515002.tif 000024
2018515002.tif 000025